(57)【特許請求の範囲】
【請求項１】
上下方向に延びる略筒状の部分５７と、この略筒状の部分５７の前面側を覆うカバー１９とから構成され、前記略筒状の部分５７は、後面側に凹となるように配置された平面視で略Ｕ字型をなして上下方向に延びる内側の壁１０と、この内側の壁１０を内部に収容する網の目状の部分を全体に有している袋状の物体１と、前記内側の壁１０を内部に収容することにより、略筒状となった前記袋状の物体１の前面側を覆うように被せられる外側の壁３４とから形成され、前記内側の壁１０の前記凹となった後面側の空間において前記内側の壁１０の内外に貫通した沢山の孔１３に垂るんだ状態でかつ互いに交差するように多数本の糸状の部材７，３９が架け渡されていることを特微とするインナーマスク。
【請求項２】
前記内側の壁１０の前面側の下方位置には窓状の部分１６が開口され、前記外側の壁３４には前記内側の壁１０及び前記袋状の物体１の前面側に被せられた状態で前記内側の壁１０の窓状の部分１６と合致するように窓状の部分３６が開口されている請求項１記載のインナーマスク。
【請求項３】
前記カバー１９には、前記略筒状の部分５７の前面側を覆った状態で、前記二つの窓状の部分１６、３６に合致する窓状の部分３０が開口されている請求項２記載のインナーマスク。
【発明の詳細な説明】
【技術分野】
【０００１】  本発明は顔に装着したマスクの網の目をくぐり抜けて中へ入ってきた空気中に含まれるもので、例えば、インフルエンザウィルスの場合は、そのマスク装着者の鼻腔入口に到達するまでに彼等にダメージを与え、たとえそのマスク装着者の鼻腔や上気道に彼等インフルエンザウィルスが着床したとしても、彼等インフルエンザウィルスはその鼻腔や上気道では増殖することは出来ず、また、それらインフルエンザウィルスと同じように、マスクの網の目をくぐり抜けてマスク内に入ってきた空気中に含まれる花粉やほこり等の数量もそのマスク装着者の鼻腔入口に到達するまでに、それらがマスクの網の目をくぐり抜けて中へ入ってきた直後の時よりも減らすことが出来ることを、人物の顔に装着された一般的に流通している横長長方形のマスクよりも広い長方形の部分を有するマスクの内側に装着することにより可能にするインナーマスクに関する。
【背景技術】
【０００２】  従来の一般に使用されているマスクは、長方形の繊維状物質の本体が中心にあり、その本体を横長になるように立てた場合は、左右となる上下の角にヒモ状の物質の両端を取り付け、そうすることによって出来る半円の中にそのマスクを装着しようとする者の両耳を入れてそのマスク本体の中心にそのマスク装着者の鼻腔入口付近がくるようにそのマスクを装着するのであるが、その形式では歩行時は無風であってもま正面から来る風をまともに受けることとなるため、当然、その風となる空気中に含まれるインフルエンザウィルスや花粉等が装着しているマスクの網の目から入りやすい状態となる。【０００３】  そのため、前記の中央に長方形の繊維状の部分を有するマスクの場合は、その長方形の繊維状の網の目から、外気中に含まれるインフルエンザウィルスや花粉等の進入を出来るだけ少くする方法として用いられるのが、マスクの長方形の部分の網の目を細くする方法、またはマスクの長方形の繊維状の部分を二重三重に重ね合わせた構造にする方法、そして、マスク装着者の鼻腔入口とマスクの長方形の部分との間に一枚以上のガーゼ等を挟む方法である。【０００４】  しかし、それらの方法では、インフルエンザウィルスや花粉等のマスク内に進入する数量を減らすことが出来たとしても、その種のマスクを装着した者の息苦しさはそれらの方法を用いる前よりも当然増すこととなる。【０００５】  そこで、その息苦しさを和らげる方法として、マスク装着者の鼻腔入口や口とその人物、即ち装着者がかけているマスクの一部分が密着する状態を防ぐために、マスク装着者の鼻腔入口や口と、それらの前となるマスクの部分との間に空間を設ける形状をしたマスクが現在数多く出回っている。【０００６】  その空間が在る影響でマスク装着者の息苦しさは、その空間が無い時よりも多少和らぐかもしれないが、それらの空間はただ単にマスク装着者の息苦しさを和らげるためだけのものであり、それらの空間のどれもがマスクの網の目から進入してきたインフルエンザウィルスにダメージを与え、そのマスク内に入ってきたインフルエンザウィルスがそのマスク装着者の鼻腔や上気道に着床した場合、それらインフルエンザウィルスが、その上気道等で増殖出来ないようにすることは、現在、一般に広く出回っているマスク装着者の鼻腔入口や口等の前に空間を設ける構造をしたマスクのみを装着するだけでは不安である。【０００７】  何故ならば、湿気に弱い性質を持つインフルエンザウィルスが、人物の鼻腔や上気道内に着床したとしてもその上気道内に充分な湿気があるとすれば、その上気道内に着床したインフルエンザウィルスは、その上気道内では増殖することは出来ないが、前記鼻腔入口と口と、それらの前のマスクの部分との間につくられた空間を有しているマスクを人物が装着した場合、その空間の中の湿気は、外から取り入れた空気の中に含まれる湿気とマスク装着者の吐息の中に含まれる湿気のみであり、例えば、そのマスク装着者がその空間の中の湿気を一気に全て吸ったとしても外気が乾燥している場合は、前記空間内の湿気は外の乾燥した空気から採る湿気とそのマスク装着者の吐息に含まれる湿気のみであり、その湿気でもある程度は、マスク内に入り込んだインフルエンザウィルスにダメージを与えることは出来るかもしれないが、今までにない広い空間をマスク装着者の鼻腔入口や口の前に設け、そして、その空間内を人体に近い温度、そして高湿度の状態にし、マスクの繊維状の網の目をくぐり抜けてその空間内に入る湿気に弱い性質を持つインフルエンザウィルスにダメージを与え、そして、マスクの繊維状の網の目をくぐり抜けて中に入ってきた空気中の花粉やほこり等をからみ取り、そして、インフルエンザウィルス、花粉、ほこり等がマスクの繊維状の網の目をくぐり抜けて中へ入ってきた直後の量よりも減った空気をマスク装着者の鼻腔入口まで送るシステムをつくり出すことが出来る装置が在るとすれば、その装置を必要とする人物は世の中にかなり存在すると思われる。【０００８】  また、装着した状態を上から見た場合、そのマスク装着者の鼻の前の部分が前方へ出たその前先端が角状の立体マスクに関しては、そのマスク本体中央が突き出た形により、正面前方から来る風を左右に振り分けることが出来るので、前記一般に広く出回っている中央本体が装着時横長長方形の形状となる正面から来る風となった空気をまともに受ける形状のマスクよりは、当然外気中の花粉やインフルエンザウィルスを取り込む量は少くなり、そして、立体マスクはその形状により立体マスク装着者の鼻腔入口や口の前の空間は前記一般のマスクが有する殆どスペースが無い空間よりも広めになるが、その空間内に入ってきたインフルエンザウィルスにダメージを与えることに関しては工夫がされておらず例えば、前記立体マスクよりも広い空間をマスク装着者の鼻腔入口や口の前に作り、その広い空間内を常に高湿度で体温に近い温度に保つことが出来る装置が在るとすれば、それは立体マスクも含めた今迄のマスクでは考えられないインフルエンザを予防する効果があると考えられる。【０００９】  なを、本願発明に関連する公知技術として次の特許文献を挙げることが出来る【特許文献１】特開２００９−２４７６１４号公報
【特許文献２】特開２００８−２９５９９３号公報
【特許文献３】特開２００９−７２５２２号公報
【特許文献４】特開２０１０−１６２２０９号公報
【特許文献５】特開２００９−１０６４６８号公報
【特許文献６】特開２０１０−１２５３０２号公報
【特許文献７】特開２００９−９５６１５号公報
【特許文献８】特開２００９−２２５９３０号公報
【特許文献９】特開２００８−２３７８５０号公報
【特許文献１０】特開２００８−１３６８２６号公報
【特許文献１１】特開２００８−１１４０２５号公報
【特許文献１２】特開２００８−１７３４１６号公報
【特許文献１３】特開２００７−２４４５４９号公報
【特許文献１４】特開２００７−４４１４０号公報
【特許文献１５】特開２００７−３７８号公報
【特許文献１６】特開２００６−３３３９７２号公報
【特許文献１７】特開２００６−１９１９６４号公報
【発明の開示】
【発明が解決しようとする課題】
【００１０】  上述の如く、従来技術に係るマスクは、マスクを装着して歩いた場合、たとえ無風であってもそのマスク装着者は正面から来る風となった空気をまともに９０度に受ける状況になり、その来る風に対しての９０度と云う角度は、風となった空気の中に含まれる花粉やインフルエンザウィルスを最も取り入れやすい角度であり、そして、それら花粉やインフルエンザウィルスを最も取り入れやすい顔の表面の場所は、顔のほぼ中央の凸部、即ち鼻の下の凹んだところの、そのマスク装着者が吸気をした時に空気取り入れ口となる装着者の鼻腔入口、または口の前のマスクの長方形の繊維状の部分と云うことになり、また、風となって正面から９０度に装着者の顔に当たる空気を左右に振り分ける工夫がされているのが、現在最も進んでいると言われる立体マスクであるが、立体マスクはその形状から装着者の鼻の下の部分に、中央に長方形の繊維状の部分を有するマスクよりも広い空間を造ることは出来るが、その立体マスクの空間でも息苦しさを覚える者が存在することは事実である。【００１１】  そして、人物がマスクを装着することによって、その人物の鼻腔入口や口の前に、そのマスクの長方形の部分の１部分とその人物の鼻腔入口と口とその週りの皮膚によって出来た空間内を湿度の高い状態にして、マスクの長方形の部分等の網の目の部分をすり抜けて、その空間内に入ってくる湿気に弱い性質を持つインフルエンザウィルスにダメージを与える工夫がされているマスクは現在は存在しないと言っても過言ではない。【００１２】  本発明は、このような点に鑑みて成されたものであり、その目的は、現在一般に使用されている中央に長方形の部分が在るマスクのように、その種のマスクを装着した人物が吸気を行った時、その吸気によって外気を取り入れる部分となるところをそのマスク装着者の鼻腔入口や口の前の部分にならないようにし、人物の顔に装着されたマスクの長方形の部分の内側に、立体マスクを装着した時に出来る空間よりも広く、内部の湿度を高くして、入ってくるインフルエンザウィルスにダメージを与えることが出来、そして、入ってくるそれらインフルエンザウィルス、花粉、ほこり等をからめ取ることが出来る装置を設けた空間、または空間のようなものを設け、その空間または、空間のようなものの中を通過した空気が装着者の鼻腔入口に到達する頃には、その空気中に含まれるインフルエンザウィルスは、たとえ装着者の上気道に着床したとしても、そこで増殖出来ないダメージを与えられており、そして、それらインフルエンザウィルス、花粉、ほこり等の量はマスクの長方形の部分の網の目をくぐり抜けて中へ入ってきた直後の時よりも少くなっている状態にすることにある。
【課題を解決するための手段】
【００１３】  世間一般に広く出回っている中央に繊維状の長方形の部分を有するマスクよりも中央に広い繊維状の長方形の部分を有するマスク、以後これから行う説明等の文章の中で度々登場するそのマスクを広い長方形の部分を有するマスク４２と表現するが、人物の顔に装着されたその広い長方形の部分を有するマスク４２の内側に、その人物に装着されて使用されるインナーマスク４であって、ひも状の部分４１を除く自身の左右上下を前記広い長方形の部分を有するマスク４２の繊維状の広い長方形の部分６３の四辺で覆い隠されて、人物の顔に装着された時は、外からは見ることが出来ないペットボトルほどの硬度を、骨組みを形成する部分１９、３４、１０が有するそのインナーマスク４は空気を通すことが出来ない素材で出来ており、人物の顔に装着された時は投入口となっているところ８以外は空気が出入りすることが出来ない状態になっており、そのインナーマスクを人物が装着した時は、その人物の鼻腔入口や口の前にくるインナーマスクの部分も当然空気を通すことが出来ない素材で空気を通すことが出来ない状態になっているので、世間一般に広く出回っている中央に長方形の部分を有するマスクのように、マスクを装着した者が鼻や口で吸気を行うと、そのマスクの中央に存在する繊維状の長方形の部分のその鼻や口の前のところが空気取り入れ口となる状態にならず、インナーマスクを装着した人物の空気取り入れ口は、その装着者の顎の下先端付近の前のところに在るので、顎の下先端付近の前のところから入った空気が装着者の鼻腔入口まで到達する間に、その空気中に含まれる異物質を取り除き、そして、その空気に湿気を与える工夫がされているものを設ければ、装着者が鼻で吸気を行った場合は一般のマスクを装着する時よりも人体に良い空気を装着者の鼻腔入口まで送ることが出来、そして、人物の顔に装着された前記インナーマスクを上から見れば、その外周の形状は、コの字の右の縦の線が前側となる略コ字型、Ｕの字の下の先端部が前先端部となる略Ｕ字型、Ｖの字の下の先端部が前先端部となる略Ｖ字型、そして、弧を描いた部分の中心が前先端部となる略半円状等であり、上から見れば、それらの外周を有する平面のように見える面の中心、またはほぼ中心から後ろ端にかけて、実際には、その中の何もない面２４と周りをゴム状の物質４６がその上から覆う形となっているので見えないが、そのゴム状の物質４６の下にはＵの字の下先端のところを前側とする略Ｕ字型の切り込み２０が存在しており、そのＵの字の縦の二本の線の間の上部のところに人物の鼻の上部のところが前記ゴム状の物質４６と密着する状態になっており、その人物の顔に装着された状態のインナーマスクを正面から見れば、略Ｕ字型の切り込み２０付近が上先端部であると分かり、その略Ｕ字型の切り込み２０の左右の両端から左右に開きながら下がったところ２１が装着者の鼻の前先端部付近の高さのところで止まり、そして、その人物に装着されたインナーマスクを横から見た場合は、前記略Ｕ字型の切り込み２０の前先端の部分からは前へ下がった勾配となっており、その勾配となっているところは、人物の顔に装着されたインナーマスクを前から見た場合の前記略Ｕ字型の切り込み２０の左���の両端から左右に開きながら下がったところ２１と同じく装着者の鼻の前先端部付近の高さのところで止まり、そして、その勾配を有する面２８の前先端はその装着者の鼻の前先端部付近の高さで装着者の鼻の前先端部よりも前の位置に在り、即ち、人物の顔に装着されたインナーマスク４のその装着者の鼻の前先端部付近の高さのところから上先端の略Ｕ字型の切り込み２０の部分までは前から見ても横から見ても勾配を有する面２８となっており、その勾配を有する面の終わるところ、即ち、装着者の鼻の前先端部付近の高さのところから下の最も広い外周を有するところが、前記上から見た場合の外周となって見えたところであり、そのインナーマスクの、そのインナーマスクが人物の顔に装着された時に、その人物の鼻の下先端部から下の、その鼻の下先端部と密着するくらいの高さのところから下の、そのインナーマスクの表面を有する壁状の部分、即ちカバー１９の内部には、そのカバー１９の裏面と、表面がそのカバーの裏面とほぼ密着して存在する、人物が、そのインナーマスクを装着した時は、その５７内面と、上端を装着者の鼻の下先端部とほぼ同じ高さのところ、そして、左右の後ろ端を装着者の唇の左右の端から横頬までの間の、装着者の唇の中央の縦の線を中心にして左右対称に分けることが出来る縦の線とする口も含めたその内部の皮膚を一面とする略筒状の空洞６２をつくることが出来る略筒状の部分５７が存在しており、そして、前記カバーの後ろ端の縦の辺２３及び、インナーマスクとなった時には、そのカバーの後ろ端の縦の辺を隠す状態で存在するゴム状の物質４５のカバーの後ろ端の縦の辺の後ろに存在するそのカバーの後ろ端の部分６４のそれら２３、６４が垂直になった状態を垂直のインナーマスク等と表現するが、その垂直になったインナーマスク４を横から見た場合、インナーマスクの空気取り入れ口８となる前記略筒状の空洞６２の下面８の外側のカバーの外周の部分の最前部は最も地面に近い状態となる装着者の顎の下先端付近かそれよりも下の位置に在り、そして、そのカバーの下端の部分２６は前から後ろへ行くに従って直線状に上がった形状となっており、その後ろ端は前記カバーの後ろ端の縦の辺２３の下先端部と交わり、そのカバーの下端の部分２６の内側に在る、そのカバーの下端の部分と平行に存在する前記略筒状の部分５７の外側の壁の下端の部分３８、及び、内側の壁の下端の部分１７は見ることが出来ず、そして、その略筒状の空洞６２の中央の筒状の部分の下面を塞ぐ形で存在する網状の物質も見ることは出来ず、そして、そのインナーマスクを装着した人物が、鼻で吸気を行った場合は、内部に有している略筒状の空洞の斜め後方下側を向いている状態の下面８を空気取り入れ口とする構造をしているため、歩行時等は、インナーマスク装着者の顎の下に在る空気、顎の下付近を通過しようとする空気のみを、前記広い長方形の部分を有するマスク４２の広い長方形の部分の網の目を通過して中に入ってきた空気を、さらに前記略筒状の空道の下面に張られている網の目状の物質３の網の目を通過させて装着者の鼻腔入口まで運ぶと云う方法をとるので、今迄の歩行時等は、正面から来る風となった空気をまともに９０度に受けるところに空気取り���れ口が存在する一般に広く売られている長方形の部分が中央に在るマスクのみを装着する方法よりも数量の少いインフルエンザウィルス、花粉、ほこり等を装着者の鼻腔入口まで送ることが出来る。【００１４】前記略筒状の空洞６２内には伸縮性が有り、静電気を発生しない木をしみ込みやすく、１本１本が超軽量の以後多数本の糸状の部材７と表現する五十数本以上のその多数本の糸状の部材は、略筒状の空洞を上、または下から見た場合、不規則な網の目状となって見える状態でその略筒状の空洞内に存在しており、そして、その内の４０％〜１００％はその略筒状の空洞内で垂るんだ状態で存在していることで、例えば、その多数本の糸状の部材７の全てに水をしみ込ませ、その水をしみ込ませた多数本の糸状の部材７を内部に有するインナーマスクを人物が装着し、鼻で吸気を行うと、前記略筒状の空洞内の多数本の糸状の部材の内の４０％〜１００％の垂れた状態の糸状の部材３９も水がしみ込んでいるとはいえ超軽量であるために、前記空気取り入れ口８から入ってくる上に向って進む空気によって揺れ、しかも、網の目状になっている多数本の糸状の部材が揺れるのでその空洞内には装着者の吐息により湿気はもともと在るが、その湿気と重なってその空洞内は湿気が増加する状態となり、前記下面８の下に、存在する前記広い長方形の部分６３の繊維状の網の目をくぐり抜けてから、前記下面、即ち、空気取り入れ口８の網の目状の物質３の網の目をくぐり抜けて、その空洞内部に入ってきた湿気に弱い性質を持つインフルエンザウィルスは、その空洞内でダメージを与えられ、たとえそれらインフルエンザウィルスが装着者の上気道内に到達し、そこで増殖しようとしても、自身も湿気によりダメージを受けており、そして、その上気道内も湿気が充満している状態なのでそれらインフルエンザウィルスが、その上気道内で増殖するとは考えにくく、そして、前記広い長方形の部分の繊維状の網の目をくぐり抜けてその空道内に入ってきた花粉、ほこり等のいくらかはその空道内で湿気を浴びることにより重量が増して、同じように湿気を浴びることにより重量が増したインフルエンザウィルスと供に下に落ち、また、それらのいくらかは前記多数本の糸状の部材によってからみ取られ、それらの方法により、前記広い長方形の部分６３の繊維状の網の目をくぐり抜けて中に入ってきた空気は、その時に含んでいたインフルエンザウィルス、花粉、ほこり等の量を減らし、そして、その時よりも湿気を増した状態で装着者の鼻腔入口に入ることが出来、そしてインナーマスク４を外側から見た場合、その両端のひも状の部分４１と、インナーマスクの、インナーマスクが人物の顔に装着された時は、その人物の鼻腔入口と口の周りを覆う形で存在するインナーマスク本体の周囲に存在するゴム状の物質４５、そして、窓状の部分６を隠す形でその窓状の部分の回りのところに貼られている物質６５を除く表面を有する部分がインナーマスクのカバー１９であり、その全て同じ厚さのカバー１９のそのインナーマスクを装着した人物の鼻腔入口付近の高さの部分から下の部分の裏面には、そのカバーの裏面と、その表面がほぼ密着する状態で略筒状の部分５７が存在しており、従ってその略筒状の部分の形状は、���のインナーマスクを装着した人物の鼻腔入口付近の高さのところに来る部分から下のカバーの外周の形状が略Ｕ字型ならその内部の略筒状の部分５７も略Ｕ字型であり、以後、インナーマスクの勾配を有する面の下端のところから下のカバーの部分を略筒状の部分を覆う部分２９と表現するが、インナーマスクの、カバーの後ろ端の縦の辺２３、または、そのカバーの後ろ端の縦の辺２３の後ろに存在するゴム状の物質６４が垂直になった状態を垂直になった状態のインナーマスク、そして、インナーマスクを人物の顔に装着するか手に持つ等してインナーマスクに存在するそれら２３、６４を垂直にした時は垂直にしたインナーマスク等と表現するがその垂直にしたインナーマスクを横から見た場合に、その略筒状の部分を覆う部分２９の前先端部が垂直になった縦の線全体となる形状ならその内部に存在する略筒状の部分５７の形状も前先端部の表面が垂直になった縦の線、そして、略筒状の部分を覆う部分２９の前先端部が前へふくらんでいる形状ならやはりその内側に存在する略筒状の部分５７の前先端部も前へふくらんでいる形状となっており、そして、それら略筒状の部分５７の壁は、外側の壁３４と内側の壁１０の二つの壁から出来ており、インナーマスクになった時に前記カバー１９の裏面とほぼ密着しているのが外側の壁３４の表面であり、その略筒状の部分５７を大きく分けると外側の壁３４と内側の壁を主とする部分９の二つに分けられ、インナーマスクを人物の顔に装着した時に出来る前記筒状の空洞６２は、主にその内側の壁１０の内面と装着者の口の周りの頬を一面としてつくられており、そして、前記略筒状の部分５７の前記内側の壁を主とする部分９の内側の壁１０とその内部を上から見た場合、例えば、その内側の壁１０がＵの字に見える略Ｕ字型の内側の壁１０ならば、その略Ｕ字型の内側の壁の内側のあらゆるところを行き来する形で前記多数本の糸状の部材７が存在している。【００１５】前記略筒状の空洞６２内に存在する多数本の糸状の部材の在るところの後部には、その略筒状の空洞の内部を、その前は多数本の糸状の部材が在るところ、そしてその後ろは装着者の口の周りの皮膚が在ると云う形で、即ち、人物の顔に装着されたインナーマスクが有する略筒状の部分５７の内部の内側の壁とその後ろの〔００５８〕で説明されている外側の壁が一枚となったところの境目に左右の両端が存在する形で網状の幕２が存在しており、人物がインナーマスクを装着した時には、常にその網状の幕２がその装着者の唇の周りの皮膚と密着しており、そして、その装着者の唇が、その網状の幕２と、その網状の幕の前に存在する多数本の糸状の部材７のいくらかを前へ押し出す形でその網状の幕に密着していたとしても、その網状の幕、糸状の部材が、彼等が持つ伸縮性により、装着者の皮膚にかかる圧力を少なくすることが出来、そして、その網状の幕２は装着者の唇とその付近の皮膚が、線の状態となる糸状の部材４０に直接当たらないように自らを皮膚に密着させて、その唇とその付近の皮膚に違和感を出来るだけ与えないと云う役目を前記糸状の部材７が持つ伸縮性と協力して行っており、そして、人物がインナーマスクを装着した時の、そのインナーマスクの後部が左右に開き過���て、そのインナーマスクのカバーの左右の後ろ端の縦の辺２３とその付近のへらの部分４９がその装着者の横頬の外に出てインナーマスク全体が後ろにずれることを防止する役目を持ち、そして、前記略筒状の部分５７の主要部である前記内側の壁を主とする部分９のみを上から見た場合、その内側の壁１０で囲まれた内部に存在する多数本の糸状の部材の在るところを含む内側の壁を囲む状態で、違う表現を用いるとその内側の壁１０を内側にして網の目状の部分を全体に有している袋状の物体１が存在しており、その内側の壁を主とする部分９の形状は、その伸縮性のある網の目状の部分を全体に有している袋状の物体１の片方の先端の輪状の部分７０が、内側の壁の表面の上先端部付近に取り付けられており、そして、その網の目状の部分を全体に有している袋状の物体１は、前記内側の壁１０を骨格として筒状の部分を形成しており、その網の目は内側の壁１０に取り付けられた時に、上先端部とその付近に在る状態となる網の目の形が途中で終わる部分を除けば伸縮性があることで形状や大きさに多少の変化を生じるが、全て同じ形状と大きさの網の目であるか殆ど同じ大きさと形状の網の目であり、それら網の目の大きさは市販のガーゼのそれよりも大きく、そして、後に説明される伸縮性のある極めて強く切りにくい
0004806097.tif 000002
来る大きさを有しており、そして、〔００１３〕で説明されている略筒状の空洞の下面に張られている前記網状の物質３、及びこの〔００１５〕で説明している前記網状の幕２は、その網の目状の部分を全体に有している袋状の物体１の一部分であり、前記網の目状の部分を全体に有している袋状の物体１が前記内側の壁１０に装着されていない時の状態は、片方の端は輪状となって何にも塞がれていない状態であり、もう一方の端は、他の部分と同じ大きさと形状の網の目を有する部分に塞がれている状態の伸縮性のある細い筒状の物体であり、そして、その網の目状の部分を全体に有している袋状の物体１が前記内側の壁１０に取り付けられている状態は、その内側の壁１０の下側から、その内側の壁１０を前記輪状となっている部分７０の輪の中に入れる形でその上先端部となる輪状の部分７０を内側の壁１０の上先端付近でテープで止めると云う簡単なもので、内側の壁に前記網の目状の部分を全体に有している袋状の物体１を取り付ける作業、及び内側の壁に取り付けられた前記網の目状の部分を全体に有している袋状の物体１をその内側の壁から取り外す作業は、テープで取り付ける、そして、テープを剥がすと云う極めて簡単な作業が中心となるので前記網の目状の部分を全体に有している袋状の物体１を前記内側の壁１０に取り付ける作業、前記網の目状の部分を全体に有している袋状の物体１を前記内側の壁１０から取り外す作業は、素人でも簡単に出来る。【００１６】前記略筒状の部分５７の状態となっている二つの壁状の部分１０、３４の状態は、前記外側の壁３４の裏面と前記内側の壁１０の表面が、その二つの壁状の部分１０、３４の間に、前記網の目状の部分を全体に有している袋状の物体１の網の目状の部分を挟んでほぼ密着している状態であり、前記外側の壁の後ろ端の縦の辺、または、その外側の壁の後ろ端の縦の辺６７と平行に存在する前記内側の壁の後ろ端の縦の辺１４が垂直ならば、垂直になった略筒状の部分５７、略筒状の部分を垂直にした等と表現するが、その垂直にした略筒状の部分５７の下先端とその付近を外側ま横から見た場合、その外側の壁３４の下端の部分３８の前先端部が最も地面に近い状態の後ろに向って上がる直線状の辺となって見える状態であり、そのま横からは、その外側の壁の内側に在る前記網の目状の部分を全体に有している袋状の物体１の一部であるその略筒状の部分の下面６０に張った状態で存在している前記網の目状の物質３、及び、前記外側の壁の下端の部分と平行に存在する前記内側の壁の下端の部分１７は見ることが出来ず、その二つの壁の斜め下を向いた面１８、７３を下から見た場合、前記外側の壁の下端の部分３８の斜め下を向いた面７３の内側には、前記網の目状の部分を全体に有している袋状の物体１の網の目状の部分３が在り、そして、その網の目状の部分３は、その内側の内側の壁の下端の部分１７の斜め下を向いた面１８に密着する形で内側へ伸び、そして、略筒状の部分の下面に張った状態で存在しており、前記内側の壁の下端の部分１７の斜め下を向いた面１８と密着する形で存在する網の目状の部分３とその内側にその網の目状の部分とつながった形で存在する略筒状の部分の下面に張った状態で存在する網の目状の部分３の高さは、前記外側の壁の斜め下を向いた面７３と同じ高さか、その高さよりもほんの少し上の位置に在り、そして、やはり、垂直にした略筒状の部分５７の外側の壁３４の上端の部分７４をま横から見た場合、その外側の壁３４の内側に在る前記網の目状の部分を全体に有している袋状の物体１の網の目状の部分３と、その網の目状の部分３の内側の内側の壁１０の上を向いた面１１の上に載るテープの上先端部は見ることが出来ず、その二つの壁１０３４の上端の部分７４、７５の上面を上から見ようとした場合、前記外側の壁３４の上端の部部７４の上を向いた面３５は見ることは出来るが内側の壁１０の上端の部分７５の上を向いた面１１は前記網の目状の部分を全体に有している袋状の物体１の網の目状の部分の上先端部の輪状の部分７０とその付近、そして、内側の壁１０の上端の部分７５の上を向いた面１１とその付近を覆う形で、そして、その外側の壁３４の裏側の面の上先端部付近とその表面側が密着して存在するテープが邪摩をしてそれら１１、７０を見ることは出来ず、そして、それら、外側の壁の上端の部分７４、即ち外側の壁の上を向いた面３５と前記テープの上先端部は双方が同じ高さとなる水平の状態で存在しているか、または前記テープの上先端部の方が前記外側の壁３４の上端の部分７４の上を向いた面３５よりもほんの少し下の位置に在り、前に述べている外側の壁３４の後ろ端の縦の辺６７と内側の壁１０の後ろ端の縦の辺１４は外内に重なっている状態になっておらず内側の壁１０の後ろ端の縦の辺１４の方が前記外側の壁３４の後ろ端の縦の辺６７よりも前の位置に在って外側の壁が一枚となるところ５８をつくっており、その外側の壁が一枚になったところ５８には、見えない縦の垂直の線上に存在する四穴以上の孔が在り、その孔の数は偶数であり、それらの孔５９は全て略筒状の部分がカバー１９とほぼ密着する状態をつくり出すときに用いられる孔であり、それらの孔の位置は全て、インナーマスク本体５にゴム状の物質４５が取り付けられた時にそのゴム状の物質の接着面によって隠すことが出来る位置に存在している．そして、略筒状の部分５７の内側の壁を主とする部分９と前記外側の壁３４は、内側の壁を主とする部分９の内側の壁１０に、左右対称となり見えない縦の垂直の線上に存在する四穴以上の偶数の数の穴１５から、その表側の前記網の目状の部分を全体に有している袋状の物体１の網の目状の部分から外へ出ている状態の伸縮性のある極めて強く切りにくい糸状の物質３３の数本の両端が外へ出て、その両端の部分が外側の壁が有する孔９７の裏面から入って外へ出て、その外、即ち外側の壁の表面で３の、それぞれの伸縮性のある極めて強く切りにくい糸状の物質３３がそれぞれが伸びた状態、即ち縮める力を有している状態で結び目をつくると云う方法で互いの壁１０、３４を引き付け合う形で、その内側の壁を主とする部分９と外側の壁４が互いに略筒状の部分５７の重要な部分として存在しており、外側の壁から前記内側の壁を主とする部分９を取り外す作業は、外側の壁３４の表面に在る伸縮性のある極めて強く切りにくい糸状の物質３３の前記結び目をほどくか、またはその糸状の物質３３をハサミ、またはペンチで切断すれば良く、そして、未だ外側の壁３４に取り付けられたことがないその内部に新しい多数本の糸状の部材７を有する内側の壁を主とする部分９には最初から、その中央部を含む全体の長さの約１／３、またはそれ以下の長さの部分が内側の壁１０の内側表面に在り、その両端の部分が、前記内側の壁に存在する複数の孔１５の内の上下に隣接する二つの孔の内側の壁の内側表面側から入り、その内側の壁の表面に在る前記網の目状の部分を全体に有している袋状の物体１の網の目状の部分の網の目の間を突き抜けてその網の目状の部分の外側で軽く結ばれているか、またはクリップで止められている状態の伸縮性のある極めて強く切りにくい糸状の物質３３が数本、前記内側の壁の複数の孔１５の全ての孔の中にそれら３３の部分が入った形で存在しており、新しい多数本の糸状の部材７を内部に有するインナーマスク本体を作る作業としては、新しい多数本の糸状の部材７を内部に有する略筒状の部分５７をカバーに取り付けるか、または、新しい多数本の糸状の部材７を有する内側の壁を主とする部分９を外側の壁３４の内側に取り付けて略筒状の部分５７を完成させ、後、その完成させた略筒状の部分５７をカバーに取り付けると云う大きく分けるとその２種類の方法が在り、ここでその内の後の方法を説明するとすれば、前記新しい多数本の糸状の部材を内部に有する内側の壁を主とする部分９の内側の壁１０に存在する前記複数の孔１５の内の一番下の孔に片方が入る前記伸縮性のある極めて強く切りにくい糸状の物質３３の前記内側の壁を主とする部分９との表面の網の目状の部分を全体に有している袋状の物体１の網の目状の部分の外側に出ている両端の部分を、前記外側の壁が有する複数の孔１５の内の一番下の孔とその上の孔の中に外側の壁の裏面方向から入れて、その二つの壁状の部分１０、３４がほぼ密着する状態をつくり、その時にその二つの壁状の部分１０、３４がこの〔００１６〕の最初に説明している状態になることを確認し、後、その新しい多数本の糸状の部材を有する内側の壁を主とする部分９を、前記外側の壁３４から外した後、その内側の壁を主とする部分９が有している数本の伸縮性のある極めて強く切りにくい糸状の物質の両端の部分全てを、外側の壁が有する複数の孔全てにそれらの孔の外側の壁の裏面側から挿入した後、外に出し、そして、それぞれの伸縮性のある極めて強く切りにくい糸状の物質を伸ばした状態で結ぶと云うのも一つの方法であり、そして、後は完成した略筒状の部分をカバーの裏面に取り付けるわけであるが、その方法は極めて簡単であり、それは、外側の壁３４の内側にその略筒状の部分５７を位置付けて、その略筒状の部分の外側の壁が一枚となったところに存在する複数の孔５９の全てが、その外側にあるカバーの有する複数の孔２７の全てと内外に重なり、二つの孔が一つの孔となる状態をつくり、その時に、略筒状の部分の壁の上面７９カバーの略筒状の部分を覆う部分の上先端の部分３１の高さよりも必ず下の高さのところに在り、そして、それら１９、５７を外側から見てインナーマスク本体、即ち、それらのインナーマスク４の下面となる部分７６の外側ま横から、そのインナーマスクの下面となる部分７６を見た場合、その７６内側に存在する略筒状の下端の部分がその下面となる部分から下にはみ出して見えないこと、そして、カバーの後ろ端の縦の辺２３から後ろに、略筒状の部分の外側の壁の後ろ端の縦の辺６７が出ていない状態になっており、しかも、前記略筒状の部分５７の外側の壁の後ろ端の縦の辺６７の方が、カバーの後ろ端の縦の辺２３よりもごくわずかではあるが、よく見なくては分らないほどの前の位置に在る状態になっていることを確認し、その前記二つの孔２７、５９が一つの孔になっている孔の表面側のカバーに存在する最も上、または最も下の孔２７の表面側から、一本の伸縮性がある極めて強く切りにくい糸状の物質３３の片方の端を挿入してその先端をその内側の外側の壁が一枚となったところ５８の内側に出し、そして、もう一方の片方の端をそのすでに伸縮性のある極めて強く切りにくい糸状の物質が入っている孔の上の孔２７か下の孔にその２７表面側から挿入し、上記の説明と同じようにその内側の外側の壁が一枚となったところ５８の内側に出し、そして、その伸縮性がある極めて強く切りにくい糸状の物質３３と同じように他のそれら伸縮性がある極めて強く切りにくい糸状の物質３３を同じように孔から入れてその内側の外側の壁が一枚となったところ５８の内側にその３３両端の部分を出し、そして、それら伸縮性のある極めて強く切りにくい糸状の物質３３を引き伸ばした状態で外側の壁が一枚となったところ５８の内側の面側でそれら３３の結び目をつくり、そして、カバーの裏面と略筒状の部分の外側の壁の上を向いた面３５との間、そして、その外側の壁の上を向いた面３５と内側の壁の上を向いた面１１の上にその内側の壁の上を向いた面とその周りを覆う形で存在する前記テープとの間に空く隙間、または、隙間が有る可能性が在るところを塞ぐ形でテープを貼り付ければ、カバーの裏側の面に略筒状の部分５７を取り付ける作業は完了である。【００１７】  前記インナーマスクには、前記カバー１９の前記略Ｕ字型の切り込みの何もない面２４と、その略Ｕ字型の切り込みの周りのカバーの表面、前記カバーの後部の外周の部分２１、前記カバーの後ろ端の縦の辺２３と、インナーマスクを人物が装着した時にその装着者の頬と密着する全ての部分にはゴム状の物質４５が存在しており、そのゴム状の物質４５の人物の顔と密着するところ５２、６１は極めて柔らかい状態となっており、そして、そのゴム状の物質４５は一体となっており、そのゴム状の物質を前記カバー１９と略筒状の部分５７から成るインナーマスク本体５に取り付ける作業、及び、インナーマスクから取り外す作業は素人でも簡単に出来る構造をそのゴム状の物質は有している。【００１８】  インナーマスクには、人物がインナーマスクを装着した時にその装着者の口付近の前にくるところには、前記略筒状の部分５７の前記内側の壁１０の窓状の部分１６、前記略筒状の部分５７の前記外側の壁３４の窓状の部分３６、そして前記カバーの窓状の部分３０の三つの壁状の部分１６、３６、３０をくり抜かれた窓状の部分が内外に重なった状態で、一つの窓状の部分６、即ちインナーマスクの窓状の部分６を形成しており、そのインナーマスクの窓状の部分６のカバーの表面には、そのインナーマスクの窓状の部分６から空気が出入り出来ない��態にするために空気を通すことが出来ない素材で出来た幕状の物質６５が、そのインナーマスクの窓状の部分６を塞ぐ形で、そのインナーマスクの窓状の部分６の周りのカバーの表面に、その幕状の物質６５の接着面を貼り付ける形で取り付けられており、そのインナーマスクを人物が装着した時にその人物が息苦しさ、特に吸気がスムースにならないために息苦しさを感じた場合は、そのインナーマスクを人物の顔から外して後、前記インナーマスクの窓状の部分６を覆っている状態の幕状の物質６５をカバーの表面から剥がし、その窓状の部分から、その窓状の部分６の中に前記細の目状の部分を全体に有している袋状の物体１の細の目状の部分が内外を仕切る形で存在しているが、自由に空気が出入り出来る状態となったインナーマスクを息苦しさを感じていた人物の顔に装着し、そして、その上から前記広い長方形の部分を有するマスク４１を装着し、そして、その人物が鼻から吸気を行えば、前記略筒状の空洞の下面の空気を取り入れ口８から入った空気は、窓のある略筒状の空洞内に存在する多数本の糸状の部材７のあるところ全体を通り抜けてその装着者の鼻腔入口へ、そして、前記インナーマスクの窓状の部分６から入った空気は、前記略筒状の空洞６２内に在る多数本の糸状の部材のあるところの下先端付近以外のところを通って鼻腔入口に到達する形状になることを特徴とする。
【発明の効果】
【００１９】  以上説明したように本発明によれば、人物の顔に装着された一般に広く流通している中央に長方形の部分を有するマスクよりも広い長方形の部分を有するマスクの内側に、前記インナーマスク４を装着した場合、その装着者の鼻腔入口、及び口の前には立体マスクでは考えられない大きな空間が出来、そして、その装着者が鼻で吸気を行うと、その装着者の顎の下に存在する、または顎の下を通過しようとする空気のいくらかが、その上の装着者の顎の下先端付近の前に在る前記広い長方形の部分６３の繊維状の網の目から中に入り、そして、前記略筒状の空洞６２の下入口の空気取り入れ口８からその空洞の中に入り、その空気は前記空洞内６２を下から上へ通過する時に、前記湿気を帯びた状態のその空洞内に在る糸状の部材３９を揺らすのでその糸状の部材３９が揺れることで、その空洞６２内は上の湿度が高い状態となり、前記広い長方形の繊維状の網の目をくぐり抜けて中に入ってきた湿度に弱いインフルエンザウィルスはその空洞内でダメージを与えられ、また花粉やほこり等は湿気を浴びることでより前記糸状の部材にからめ取られやすくなる、そして重量を増すことで下へ落ちやすくなって、いくらかが下へ落ちる状態となり、その空洞内を通過した空気が装着者の鼻腔入口に到着する頃には、前記広い長方形の部分６３の繊維状の網の目をくぐり抜けてきた直後の空気中に存在したインフルエンザウィルスの数量は減って空洞を通り抜けたインフルエンザウィルスはダメージを受けているので上気道に着床したとしてもそこで増殖することは難しく、また花粉やほこりの量も前記広い長方形の部分の繊維状の網の目の部分をくぐり抜けてきた直後の時よりも少くなっている。
【発明を実施するための最良の形態】
【００２０】  以下本発明の実施の形態を図面に基づき詳細に説明する。【００２１】  今迄述べてきた、そして、これからも述べる鼻の上部、中部、下部の表現について説明すると、人物の顔の左右の目の内側の部分どうしをつないだ目に見えない横線と交わる鼻のところを鼻の上部の上先端部、または鼻の上先端部、そして、鼻の最も下の位置、それは人により、鼻の前先端部付近、または、鼻の下部の頬と交わるつけ根のところを鼻の下部の下先端部、または、鼻の下先端部とし、そして、前記鼻の上先端部と前記鼻の下先端部との間を均等に三等分し、上から鼻の上部鼻の中部、鼻の下部と表現しており、これからも、その表現を用いることとし、そして、この書類の中で横頬と云う表現が度々出てくるが、それは、顔が正面を向いている時の、ま横、またはほぼま横を向いている状態のその顔の表面のところとする。（図１、図２、図３、図４、図１０１参照）【００２２】インナーマスクの全ての部分には抗菌処理が施されており、そして軽量で、そのインナーマスクは主にカバー１９、その後部に主に存在するへらの部分４５、そして、カバー１９の内側に存在する形をとる略筒状の部分５７で構成されている。（図５、図６、図１８、図２８、図５３）【００２３】  その内のカバー１９は、インナーマスク４を外から見た場合、その内の見えるところ、即ち表面のほぼ全体を占めるところで、その表側を表面、内側を裏側の面、そして、カバーの厚さ等を表現する場合はカバーの壁と表現し、その硬度は、カバー１９の左右の後部の両端の部分２３を平面状の硬い壁に当て、正面から後方に向って押しても、その押す力が指ほどの場合は形がくずれないペットボトル並の硬度を有している。（図７、図８１  図７６、図１００参照）【００２４】  例えば、カバーをインナーマスクが人物の顔に装着された時に、そのインナーマスクが有するカバーの立った状態になると思われる角度で手に持ち、その時に、そのカバーの人物の顔に最も近くに在り縦となって存在するその端の部分を、カバーの後ろ端の縦の辺と表現するが、そのカバーの後ろ端の縦の辺２３が垂直の時はカバーが垂直の時であり、そのカバーには沢山の形状があり、インナーマスクが人物の顔に装着された時、その時に外に出ているカバーの表面を上から見た場合、略Ｕ字状、略コ字状、略Ｖ字状、そして略半円状の外周を有するものが殆どであり、また、そのカバーを前記の如く垂直にして横から見た場合はその上先端部から前側に直線、またはほんのわずかな曲線を持って下がる勾配を有する面２８が在り、その勾配の終わるところが装着者の鼻の前先端部よりも必ず前の位置に在り、横から見た場合は、その勾配が終わるところから垂直に下に下がる線が在り、その縦の線全体が前先端部となり、前記勾配の終わるところがその縦の線、即ち前先端部の上先端となる形状のものが殆どであるが、中には、その上先端部からはじまる下がった勾配が終わるところ３１から下にふくらんだ部分が在り、そのふくらんだ部分２９の前先端部がカバー全体の前先端部となる形状のものもある。（図９、図１０、図１１、図１２、図１３、図１４、図２０、参照）【００２５】  しかし、カバー１９の形状で、この出願書類に書かれているインナーマスに於て共通しているのは、前記の如くカバー１９を垂直にして上から見た場合、Ｕの字の下の部分が、面のように見える部分２８のほぼ中央に在り、そのほぼ中央のところから後ろの後部の外周の部分２１まで存在する略Ｕ字型の切り込みは、全てのインナーマスクが有しており、そして、垂直にしたカバー１９を横から見た場合、カバー１９の最上部に位置するその略Ｕ字型の切り込みが水平ならば、その略Ｕ字型の切り込み２０の全体がカバー１９の最上部、そして、その略Ｕ字型の切り込み２０の前先端が最も上、または、後ろ端が最も上ならばその最も上に位置する部分がカバー１９の最上部となる。（図９、図１０、図１１、図１２、図１５、図１６、図１７参照）【００２６】  その全てのインナーマスクが有している前記略Ｕ字型の切り込み２０は、人物がインナーマスク４を装着する時は、その人物の鼻の上部に接近する状態となり、その略Ｕ字型の切り込み２０の何もない後ろ以外の周りの部分は、下へ下がる勾配を持つ面２８となっており、その略Ｕ字型の切り込み２０の全体または、一部を上先端とする勾配を持つ面２８は全てのインナーマスクが有している。（図１８、図１９、図５３、図６３、図７８参照）【００２７】  また、カバー１９を垂直にして上から見た場合、後部の左右の後ろ端の部分２２となって見えるところからは、下へ垂直の状態で縦に伸びる辺２３が在り、その後部の左右の後ろ端の部分２２は、その左右の後ろ端の縦の辺２３の最上部と云うことになり、その縦の辺２３は、横から見た場合、さまざまな人物の顔の形に合わすためにその上先端付近がほんの少し前へ倒れたものがごくわずか存在するが、そのごくわずかなものを除いたインナーマスクを垂直にした場合、その左右の後ろ端の縦の辺全体が垂直の縦の線となる。（図７、図１３、図１４、図２０参照）【００２８】  その左右の後ろ端の部分２２、即ち左右の後ろ端の縦の辺２３の上先端部２２からほんの少し前へ出るカーブを描いて前記略Ｕ字型の切り込みの左右の後ろ端まで続く後部外周の部分２１は、前記勾配を持つ面の後ろ端にあたり、それは全てのインナーマスクが有する形状となっている。（図７、図９、図１０、図１１、図１２、図１３、図１４、図１５、図１６、図１７参照）【００２９】  そして、垂直にしたカバー１９を上から見た時の前記左右の後ろ端の部分、即ち左右の後ろ端の縦の辺２３の上先端２２は、インナーマスクを人物が装着した時に、その人物の鼻の前先端部あたりの高さになっているのが人物が違和感なくインナーマスクを装着して使用し続けることが出来る可能性がかなり高く、人物は、その状態になるインナーマスクを装着した方が良い。（図１８、図６３、図８２、図９７、図９８参照）【００３０】  垂直にしたカバー１９を上から見た場合、その見える形状は前後の中央の線を中心にして必ず左右対称でなくてはならず、そして、カバー１９の形状と大きさで重要なことの一つとして、そのカバー１９を人物の頬に当てた場合、前記左右の後ろ端の部分、即ち左右の後ろ端の縦の辺の位置は人物の唇の左右の両端よりも外側でその人物の横頬よりも内側の頬に当たることが重要であり、人物がインナーマスクを装着する場合は、前記カバーの後ろに位置する状態となる��に［００８９］等で説明するへらの部分４５の左右の縦の部分６４が上記の状態になることが重要である。（図９、図１０、図１１、図１２、図１９、図２３参照）【００３１】  垂直にしたカバー１９を正面から見た場合、その中央上、最上部に水平、または水平に近い状態で存在しているのが前記略Ｕ字型の切り込み２０の部分であり、その両端から開きながら下がっている左右の端の部分２１が、前記後部の外周２１の部分であり、その後部の外周２１の部分が終わっているところが前記左右の後ろ端の縦の辺の上先端部２２であり、そして、その上先端部２２も含めた縦の辺が前記左右の後ろ端の縦の辺２３となるが略コ字型のような前方向からはカバーの後ろ端が見えにくい外周を有するカバーの場合は、左右の後ろ端の縦の辺２３が見えないこともある。（図２２、図１０、参照）【００３２】  そして、そのカバーの壁には、その壁を表裏にくり抜いて壁の向うの景色が見える状態となった窓状の部分３０が在る（図１８、図２２、図５１、図５５、図７、参照）【００３３】  インナーマスクは、インナーマスクを装着する人物が鼻で吸気を行い口で吐息を行う呼吸を行うと、インフルエンザを予防すること等に於てより効果が出る構造をしており、そのインナーマスクを人物が装着した場合、そのインナーマスクが空気を出し入れ出来る部分は、顎、または顎の下先端の前に空く下を向いた面８のみであり、よって装着者は下から入ってきた空気のみを吸うことになるので、息苦しさの予防を考えた場合は、装着者の鼻腔入口から下のところに存在する空間は広ければ広いほど良く、そして、その空間以外のスペースのところは無駄なので挟いほど良く、インナーマスクを人物が装着した場合、そのインナーマスクが有するカバーの最上部の略Ｕ字型の切り込み２０の部分は、装着者の鼻の上部との間に［００７４］等で説明されているへらの部分４５の略Ｕ字型の切り込みの何もない面の後ろにくる部分８０等を挟んで密着することになるが、その略Ｕ字型の切り込み２０の部分から、勾配を有する面の終わるところが略筒状の部分を覆う部分２９の最上部と云うことになるが、その略筒状の部分を覆う部分２９の最上部２２の外周までを最短距離、または、丸みが多少あるが最短距離に近い状態の面でつないでいるので、その結果、その内部の装着者の鼻、頬とカバー１９との間に空くスペースが少い勾配を有する面となり、そして、その勾配があることにより、インナーマスクを装着している人物の視界を何も装着していない状態の時に近付けることが出来る。（図１８、図２３  図４２、図８２、図９７、図９８参照）【００３４】  前記カバーを垂直にして横から見た場合、その外周の前の下先端部８４がインナーマスクの状態になった時のインナーマスク全体の下先端部となり、その下先端部８４から後ろの状態は、後ろへ行くに従って上がっている状態となっており、その上がっている状態となって見える部分は、インナーマスクを人物が装着した時に、その人物の顎の皮膚の一部を後ろの横辺として出来る下面をつくる外周の部分２６であり、その後ろに行くに従って上がった状態となっている下面をつくる外周の部分２６の左右の後ろ端は、前記左右の後ろ端の縦の辺２３の下先端と交わる状態で���ながっっており、それらの状態は全てのインナーマスクに於て共通しており、そして、殆どのインナーマスクに於て共通して見られる形状は、それらインナーマスクを横から見た時の形状で、垂直にしたカバー１９を横から見た場合、そのカバー１９の前側の下先端部からは、垂直に上に上がる縦の線が在り、その縦の線はカバー１９の前先端部、即ちインナーマスクがその形のカバーを有している場合はインナーマスク全体の前先端部となり、その前先端部の縦の線の上先端部２２は、カバーの最上部の前記略Ｕ字型の切り込み２０の部分から下りてきた勾配を有する線、または面２８と交わるところであり、その二つの交わるところは、前記略筒状の部分を覆う部分２９の表面と前記勾配を持つ面２８の表面が交わるところでもあり、垂直にしたカバーを上から見た場合、外周となって見えるその部分３１は、水平の状態となっており、その水平の外周２２は、人物がインナーマスクを装着した場合は、その装着者の鼻の前先端部付近の高さに存在することになる。（図１３、図１８、図１９、図９７、図９８参照）【００３５】  ［００３４］に於て、殆どのインナーマスクに於て見られる形状は、と書かれた部分から下に書かれている形状のカバー１９を垂直にして上から見た場合は、前記後ろの外周の部分２１以外のところの外周は、略Ｕ字状、略コ字状、略Ｖ字状、そして略半円状等さまざまな形状をしており、［００３４］に当てはまらないカバー１９、即ちインナーマスクは、前記略筒状の部分を覆う部分２９の最上部２２から下に前先端となる部分がある形状をしたカバー１９、即ちそのカバーを有するインナーマスクと云うことになる。（図１２、図１４、図６０参照）【００３６】  そして、垂直にしたカバー１９を横から見た場合、後ろの縦の辺２３付近の中部の高さのところに上下縦となて二つ、下部の高さのところに上下縦となって二つ表裏に貫通している孔が、左右の後ろ端の縦の辺付近に左右合計１１穴在るが、それらの孔は、そのカバーの内側に略筒状の部分を取り付ける時に活用されるものであり、そして、それらの孔２７の数は偶数であれば上の数より多くてもかまわない。（図７、図１３、図１４、図２２、図２６、図２７  図５５、図６０、図６２参照）【００３７】  次は略筒状の部分５７について説明することにする。【００３８】  略筒状の部分５７の表面全体は、前記カバーの略筒状の部分を覆う部分２９の裏側の面に、その裏側の面と密着していると表現してもいいほどのほんのごくわずかな隙間を設けて存在、即ち取り付けられており、従って、その外観は、自身５７を覆う形となる前記略筒状の部分を覆う部分２９よりもひとまわり小さな、その略筒状の部分を覆う部分２９と同じ形状をしており、それは前記カバー１９から取り外したり、前記カバー１９に取り付けることが出来る。（図５、図３１、図３２、図４１参照）【００３９】そして、カバー１９の略筒状の部分を覆う部分２９の形はさまざまなので、よって、その略筒状の部分を覆う部分の内部に自身５７の表面全体がほぼ密着して存在する形をとる略筒状の部分５７の形も当然さまざまな形状があり、以後、暫くは、一つの形の略筒状の部分を覆う部分とその略筒状の部分を覆う部分２９を有するカバー１９と、そのカバー１９、即ちその略筒状の部分を覆う部分２９の内部に存在している、または存在することとなる略筒状の部分５７について説明することにする。（図２８、図３１、図３２、図３９、図４０、図４１参照）【００４０】  それは、垂直にした状態を上から見た場合は、後部の外周２１を除く外周は略Ｕ字型で、その垂直にした状態を横から見た場合は、前側下先端部から垂直となって上の勾配を有する面の下先端２２へと続く前側の縦の線の全体が前先端部となる形状の略Ｕ字状のカバー１９の内側に取り付けられる略Ｕ字型の略筒状の部分５７である。（図２８、図３２、図３９、図４０、図４１参照）【００４１】  その略Ｕ字型の略筒状の部分５７も含む全ての略筒状の部分は、外側の壁３４、そして内側の壁１０と二重に内外に重なった壁３４、１０を有している形状であり、略Ｕ字型の略筒状の部分を覆う部分２９の内部に存在している略筒状の部分５７は、その二重となって内外に重なった状態で存在するそれぞれの壁１０、３４が略Ｕ字型をしており、次はその略Ｕ字型の略筒状の部分５７の内側の壁１０と、その内側の壁１０の内外に存在する物質とによってつくられる内側の壁を主とする部分９について説明することにする。（図３２、図３９、図４０参照）【００４２】  その内側の壁を主とする部分９を垂直にして上から見るとその略Ｕ字型の内側の壁１０は、その周囲に、その１内側が内側の壁の表面に密着した状態で存在する普通の糸状の物質よりもやや太い物質でつくられたように見える輪となった部分１が、その略Ｕ字型の内側の壁１０を外側から包んでいる状態で存在しており、その普通の糸状の物質よりもやや太い物質でつくられたように見える輪となった部分１の一部２がその略Ｕ字型の内側の壁１０の空いた部分でもあるＵの字の縦の部分の二つの左右の上端の間を一つの線となって塞いでいる状態をつくり出しており、その状態を上から見た場合は、前記略Ｕ字型の内側の壁１０のＵの字と前記普通の糸状の物質よりもやや太い物質でつくられたように見える輪の部分１の一部２の一の字が在ることで略Ｄ字型がつくられている。（図３３、図３５、図３６参照）【００４３】  その略Ｄ字型の空間内には、その部分９を上から見た場合、前記略Ｕ字型の内側に壁１０の内面を行き来する形で以後多数本の糸状の部材７と表現する五十数本以上の糸状の部材が存在しており、それらは、上から見た場合であるが、ふぞろいの網の目状の形を沢山つくっているように見える。（図３４、図３７、図２４参照）【００４４】  垂直にした内側の壁を主とする部分９を内側、即ち内側の壁１０が略Ｕ字型ならＵの字の上部の空いたところの上、即ち略Ｕ字型の内側の壁１０の後ろからその略Ｕ字型の内側の壁を見た場合、［００４２］で説明している前記普通の糸状の物質よりもやや太い物質でつくられたように見える輪となった部分１は伸縮性のある物質でつくられており、それは、ガーゼの網の目よりも大きい後に［００５９］等で説明されている伸縮性のある極めて強く切りにくい糸状の物質３３を針等の助けを必要としなくても表裏へ通すことが出来る網の目の大きさを有している網の目状の部分を全体に有している袋状の物体１であり、上から見た場合に、前記略Ｕ字型の��側の壁１０のＵの字の左右の縦の二辺の上端の間を塞いでいる一の字の部分２は、前記網の目状の部分を全体に有している袋状の物体１の一部であり、そのＵの字の左右の縦の二辺の上端の間を塞いでいる一の部分は前記略Ｕ字型の内側の壁１０のＵの字の上端の間の上端から下の全てのところを網状の幕２となって塞いでおり、その網状の幕２は指で軽く押すとグっと中へ入り、その指を離すと再び元の状態になる弾力性を有しており、その網状の幕２を有している網の目状の部分を全体に有している袋状の物体が前記略Ｕ字型の内側の壁１０を自身の内側に存在させることで前記略Ｕ字型の内側の壁を主とする部分９は、略Ｄ字型の略筒状の物体となっている。（図２４、図３３、図３７、図９７、図９８参照）【００４５】  前記略Ｕ字型の内側の壁１０に取り付けられていない状態の網の目状の部分を全体に有している袋状の物体１は前記略Ｕ字型の内側の壁を身身の内側に存在させていた時よりも細い状態の片方の端は何にも塞がれてなく、そしてもう片方の端が網の目状となっている部分で塞がれている状態の略筒状の物体であり、〔００４２〕で垂直にした内側の壁を主とする部分９を上から見た時は、その内側に存在する多数本の糸状の部材により確認は出来なかったが、その略Ｕ字型の内側の壁１０を有する内側の壁を主とする部分９、即ち略Ｄ字型の略筒状の物体の下面は、前記網の目状の部分を全体に有する袋状の物体１の前記網の目状となっている部分で塞がれている片方の端の部分で塞がれており、そして、網の目状の部分を全体に有している袋状の物体１の横に広がった輪の状態となる上先端の状態となっている部分全体は、その輪状となる部分７０の内側に存在する内側の壁の上を向いた面１１と同じ高さ、または殆ど同じ高さのところで、その内側の壁１０と密着した状態になっており、その双方１０、７０が密着した状態を保つために、その内側の壁１０の外に存在する前記輪状の部分７０も含めた網状の部分は、その内側の、内側の壁の上を向いた面１１、そして、内側の壁の上先端付近の孔のない内面１２とともに略コ字状の状態になったテープの接着面が在るコの字の内側に存在する形で前記テープにより固定されている。（図３３、図３８、図４２、図４５、図４６、図４２参照）【００４６】  上述の如く、網の目状の部分を全体に有している袋状の物体は、前記略Ｕ字型の内側の壁１０に簡単に取り付けられている状態なので、従って、その網の目状の部分を全体に有している袋状の物体１を前記略Ｕ字型の内側の壁１０から取り外す時は、前記テープを、前記略Ｕ字型の内側の壁１０の外側表面上先端から剥がし、そして、前記網の目状の部分を全体に有している袋状の物体１を前記略Ｕ字型の内側の壁に取り付ける時は、その、網の目状の部分を全体に有している袋状の物体１の何にも塞がれていない端の輪になった部分の周囲７０全体を、テープを用いて略Ｕ字型の内側の壁１０の外側表面の上先端部周囲に取り付ければよい。（図３１、図３７、図４０、図３８、図４３、図４４、図４５  図４６、図４７参照）【００４７】  前記網の目状の部分を全体に有している袋状の物体１を前記略Ｕ字型の内側の壁１０から取り出すと、その略Ｕ字型の内側の壁の内部には前記多数本の糸状の部材３９が現れる。（図２４、図２５、図３１、図３３、図３４、図３５、図３６、図３７参照）【００４８】  それら３９は垂るんだ状態で前記内側の壁１０の内部の空間を横断または斜め横断する形でそこに存在しており、その素材は伸縮性に優れて超軽量で静電気を発生させない水がしみ込みやすい素材で出来ている。（図２４、図２５、図３２、図６５、図６６参照）【００４９】  前記略Ｕ字型の内側の壁１０には、内外に貫通した状態の孔１３が沢山存在しており、そして、略Ｕ字型の内側の壁１０の三方の内面に囲まれている空間の中に存在している多数本の糸状の部材７は、１本の糸状の部材こよって形づくられており、その形づくられている方法は、前記空間の中に前記内壁１０に空く沢山の孔１３の内の一つの孔の外側から内側へと入ってきた糸状の部材７の先端は、その孔の正面、または、斜め向いに存在する一つの孔の中に入り、そして、外へ出て、外へ出た孔とは別の違う孔の中に入り、再び前記空間の中に入ると云う形で形成されており、孔によっては糸状の部材７が三本入っている孔も在り、そして、その糸状の部材７の両端の部分は、前記空間内で結び目となって接続されており、その理由は、上述の如く沢山在るように見える多数本の糸状の部材と表現している部分は、一本の糸状の部材で構成されており、その理由は、その内側の壁を主とする部分９の中、インナーマスク４が人物の顔に装着された時は略筒状の空洞６２の中に存在する糸状の物質に沢山の結び目があると、その沢山の結び目のいくらかは前記網状の幕を挟んで装着者の口とその付近の皮膚に違和感を与えたり、また空洞６２内でそれら結び目によって糸状の部材７どうしがからまる状態が生じやすくなり、また内側の壁１０の表面と外側の壁３４の裏面の間には、極めて強く切りにくい糸状の物質３３の結び目と網の目状の部分を全体に有している袋状の物体１が在ることにより隙間は生じているが、その隙間は狭いほどよく、その間に沢山の結び目が在ると隙間は当然広くなり、よって、結び目を一つにする手段として一本の糸状の部材が使用されている。（図８、図２４、図２５、図３１、図３６図３８、図８２、図４９、図８５、図９７参照）【００５０】  そして、略Ｕ字型の内側の壁１０の内部の空間に存在している多数本の糸状の部材７は、その内側の壁１０が前記網の目状の部分を全体に有している袋状の物体１で包まれると、その網の目状の部分を全体に有している袋状の物体１は前記略Ｕ字型の内側の壁１０を内部に有する略Ｄ字型の内側の壁を主とする部分９となり、よってそれらの糸状の部材７は、略Ｄ字型のその内側の壁を主とする部分９が未だ略Ｕ字型の略筒状の部分５７の部分、または、インナーマスク４の１部となっていない場合は、略Ｄ字型の内側の壁を主とする部分９の中の糸状の部材等と表現される。（図２５、図３３、図３４、図３６、図３７、図３８参照）【００５１】〔００４５〕でも述べているが略筒状の部分５７の内側の壁１０の上先端部付近には糸状の部材が入るための孔１３は存在しておらずその他の内側の壁の内面、即ち壁にはいたるところに糸状の部材が入るための孔が在り、それらの孔の全てには糸状の部材が通っているが、その内側の壁の後部には左右それぞれの縦の、前記略筒状の部分５７の内側の壁の後ろ端の縦の辺１４と平行に存在する外側の壁の後ろ端の縦の辺６７のその二つが垂直なら、同じく垂直になる同一線の上に２穴、下に２穴と２つずつ二つに分かれて存在する前記糸状の部材が通っておらず、それらの孔１５の全てには伸縮性のある極めて強く切りにくい糸状の物質３３が、その内側の壁の内側から、それら３３の両端の部分を、隣接する二つの孔に入れて、そのそれぞれの両端の先端を内側の壁の表面と密着した形で存在する前記網の目状の部分を全体に有している袋状の物体１の一部である網の目状の部分の網の目の中を通り抜けて外側に出ている形で存在しており、前記孔１５と前記伸縮性のある極めて強く切りにくい糸状の物質３３は、前記外側の壁３４の裏面に内側の壁が存在している状態を保持するためには重要な役割を有しており、そして、この〔００５１〕で説明されている孔は片面に付き上下合わせて四穴であるが、偶数であればその数よりも多くても良い。（図２４、図２９、図３３、図４６、図９６参照）【００５２】一般的に人物の鼻から下の部分の形状は、その鼻から下の部分を上から見ることが出来るとすれば、その人物の唇の横幅の中央の縦の線となるところが前先端になるカーブになっているため、インナーマスクを人物が装着した場合、そのインナーマスクの左右の後ろの端、即ちカバーの左右の後ろ端の縦の辺を挟む形で、そのカバー１９の左右の後ろ端の縦の辺２３と密着して存在する後に説明するへらの部分４５のところ６４に、その人物の唇の左右の両端より外側に在る頬が当たるので、その左右のへらの部分６４の中央に位置する人物の唇の横幅の中央の縦の線が前記左右のへらの部分６４と人物の頬が当たっているところよりも必ず前に在る状態になっており、よって、装着者の唇の横幅の中央の縦の線付近のところが、前記糸状の部材に直接当たり、そのことで装着者が違和感を感じる恐れがあるため、その違和感を和らげるために伸縮性を有する前記網状の幕２を、前記糸状の部材の在るところと装着者の頬との間のところに位置付けることで装着者の唇を含む頬に自身２を触れさせて装着者の違和感を和らげるために、前記網状の幕２は、前記略筒状の部分５７の内部に前記糸状の部材７と、その後ろの何もないところを分ける形で存在している。（図５、図６、図３２、図３３、図３４、図３５、図４１  図４９、図５０、図５１、図６５、図６６、図７４、図７５、図７９、図８０、図８２  図８９、図９０、図９７、図９８参照）【００５３】  そして、インナーマスクを人物が装着する時には、そのインナーマスクが自分自身に合うかどうかを調べるために、そのインナーマスクの最後部の状態となる左右の後ろ端のへらの部分６４をその人物の唇の左右の端の外側の頬にまず当てるわけであるが、人物によっては、そのインナーマスクの左右の後ろ端のへらの部分６４をそのままの状態で顔に当てると、そのへらの部分６４が、その人物の唇の左右の両端の内側に当たる恐れがあり、その状態になることを防ぐためにカバーと略筒状の部分は、それらの後ろの部分を弱い力でも開くことが出来、そして、手を離すと元の位置に戻る弾力性を有しており、しかし、その弾力性があるために、人物の顔に装着されたインナーマスクの左右の後ろ端の部分が開いて、その左右の後ろ端の部分６４が装着者の横頬の外に出てインナーマスク全体が装着時に後ろへ下がる状態になる可能性が在り、その状態になることを防ぐためにも前記網状の幕２は、前記略筒状の部分５７の後部に存在している。（図３１、図４１、図４９、図５０、図５１、図６５、図６６、図７４、図７５、図７９、図８０、図８１、図８２、図８６、図８９、図９０、図９７、図９８参照）【００５４】  前記内側の壁１０を垂直に手で持ち、インナーマスク装着時、前側となる部分が左となる状態でそれを横から見た場合、インナーマスクが人物の顔に装着された時はそのインナーマスクの下面を形成する内周の主体部となる切り口のような状態のその内側の壁の下を向いた部分１８は、左側、即ち前側が下先端部となって後ろ側に向って上がった状態となっている。（図２９、図３０、図３４、図３９、図６５、図６６  図１００参照）【００５５】  前記内側の壁を主とする部分９を垂直にしてそれを正面から見た場合、前を向いている状態で位置している前記網の目状の部分を全体に有している袋状の物体１の一部の内側に存在する内側の壁の一部に内外に通じる状態、即ち空気がそこから出入り出来る状態となっている窓状の部分１６が存在している。（図３３、図４４、図６参照）【００５６】  前記外側の壁３４にも窓状の部分３６が在り、略筒状の物体である前記内側の壁を主とする部分９の外側に前記外側の壁３４を表裏に重ねて略筒状の部分をつくった時のその外側の壁の窓状の部分３６の状態は、その外側の窓状の部分３６は、前記内側の壁の窓状の部分１６と大きさも形状も全く同じで内側の壁の窓状の部分１６との間に前記網の目状の部分を全体に有している袋状の物体１の一部８５を挟んで、その内側の壁の窓状の部分１６の外側に自身３６が存在して一つの窓状の部分、即ち、略筒状の部分の窓状の部分６９を形成している。（図６、図３２参照）【００５７】  そして、略筒状の部分５７を構成する表裏に重なった二つの壁の周囲、そしてその付近の状態は、その二つの壁１０、３４が表裏に重なる略筒状の部分５７を有するインナーマスクを人物が装着した場合、水平、またはほぼ水平となるその略筒状の部分５７の上先端部は、その上先端部を構成する前記外側の壁の上を向いた面３５と、その内側の内側の壁の上を向いた面１１の上にその内側の壁の表面の上先端部付近に有る前記網の目状の部分を全体に有している袋状の物体１の現在は上先端部、または上先端部付近となっている輪状の部分７０と、前記内側の壁の上先端部付近の表面を接続させる形で存在する、その表面をその外側の壁の上先端部とその付近の裏面に密着させて存在するテープの上面は、水平かまたはテープの上面の方が外側の壁の上を向いた面よりもやや下の位置に在り、そして、人物がインナーマスクを装着した時に、その内側の略筒状の部分５７の前側の下先端部から後ろへ行くに従って上がった状態となっているその下先端部を含む略筒状の部分５７の下端の部分７８の状態は、その付近を下から見た場合、前記外側の壁３４と前記内側の壁１０との間にはその二つの壁３４、１０と密着する形で前記網の目状の部分を全体に有している袋状の物��１の網の目状の部分が存在しており、そして、外側の壁の斜め下を向いた面７３の内側に存在する内側の壁の斜め下を向いた面１８と密着して存在する前記網の目状の部分を全体に有している袋状の物体１の網の目状の部分が、その内側の略筒状の部分５７の下面を張って塞ぐ状態で存在する網の目状の物質３の周囲の部分と云う形で存在しており、そして、その略筒状の部分５７の下端の部分７８を外側ま横から見た場合は、前記内側の壁の斜め下を向いた面１８、及び網の目状の物質３は見ることは出来ず、見えるのは外側の壁３４の表面の下端の部分のみであり、その外側の壁の斜め下を向いた面７３の網の目状の物質３は同じ高さ、または、網の目状の物質３の方が外側の壁の斜め下を向いた面よりもほんの少し上に存在している。（図２４、図３１、図３２、図４１、図５１参照）【００５８】  前記二つの壁１０、３４が表裏と重なって、その二つの壁１０、３４が略筒状の部分５７を形成する主な部分となっている状態のその二つの壁１０、３４の最後部付近の状態は、その二つの壁の最後部付近の状態を見やすいように、その略筒状の部分５７を垂直、即ち、前記外側の壁の後ろ端の縦の辺６７と内側の壁の後ろ端の縦の辺１４を垂直にして、その略筒状の部分５７の最後部付近を見た場合、前記内側の壁の後ろ端の縦の辺１４の方が前記外側の壁の後ろ端の縦の辺６７よりもその外側の壁３４の前後の幅の長さの１／３〜１／４０ほど前の位置に在り、よって外側の壁が一枚となったところ５８は略筒状の部分の後ろ端の縦の辺６７から前へその前後幅の１／３〜１／４０入ったところまでの部分であり、その外側の壁が一枚となった部分の上部に二穴、下部に二穴と同じ見えない縦の線上に四穴、左右の外側の壁が一枚となったところ５８の、インナーマスク本体の形状となった時にカバーの孔２７の内側にくるところに計八穴が存在しており、それらの孔は、カバーに略筒状の部分５７を取り付ける時、または取り外す時に利用されるカバーとほぼ密着した状態をつくり出す孔５９であり、この［００５８］では、孔の数の合計は八穴となっているが、それらの孔５９の数は偶数であればそれ以上でも良く、それらの孔５９は前記外側の壁３４が前記カバーとほぼ密着する時に使用されるそのカバーの有する孔２７の数と同じでそれら二つの壁状の部分１９、３４の孔２７、５９のそれぞれの位置は、それら二つの壁状の部分１９、３４が内外に重なる状態をつくり出し、そして、それら二つの壁状の部分１９、３４が内外に重なった時にインナーマスク本体の形状をつくることが出来る位置に在れば良い。（図５、図８、図４１参照）【００５９】また、外側の壁の裏面の前記略筒状の部分５７になった時の、前記網の目状の部分を全体に有している袋状の物体１の網状の部分を挟んで前記内側の壁１０と対面するところには、その裏面を内側入口とする複数の孔３７が、前記内側の壁に存在するそれら１５と同じように表裏を貫通する形で、それら１５と同じ数だけ在り、そして、それら二つの壁１０、３４が前記網の目状の部分を全体に有している袋状の物体１を間に挟んで略筒状の部分５７を形成している状態になった時の、その二つの壁１０、３４に存在するその互いの壁を接近させるために用いられているそれらの孔１５、３７の位置と状態は、垂直になった、即ち外側の壁３４と内側の壁１０の後ろ端の縦の辺１４、６７が垂直になった状態の、その略筒状の部分５７を横から見た場合、実際には透き通っていないがその外側の壁が透き通っているとするならば、その外側の壁３４の内側に、間に網の目状の部分を全体に有している袋状の物体１の筒状の袋の側面を挟んで存在する内側の壁の四穴の孔１５と、外側の壁の四穴の孔３７は全て同じ高さで存在し、そして、ほんの少し外側の壁の四穴の孔３７の方が内側の壁の四穴の孔１５よりも前に位置しており、それらの壁１０、３４の上部の二穴と上部の二穴、下部の二穴と下部の二穴は伸縮性のある極めて強く切れにくい糸状の物質３３が中を通った状態で、外側の壁を主として表現するならば、外側の壁３４が内側の壁１０を前に引き寄せる形でつながっており、その伸縮性のある極めて強く切れにくい糸状の物質の結び目は外側の壁の表面に在り、上で説明されている孔は、略筒状の部分５７を形成した時に全て同じ高さとなり、上述の如く、それらの孔に入った伸縮性のある極めて強く切りにくい糸状の物質３３が互いの壁１０、３４を引き付け合う形になることが出来れば前記孔の数は偶数であれば上の数よりも多くても構わない。（図５、図６図２４、図２８、図３２、図４８、図９６参照）【００６０】  前記略筒状の部分９が前記カバー１９の内側に自身が有する外側の壁の表面をほぼ密着させて存在している状態、即ちインナーマスク本体５となっている状態は、そのインナーマスク本体の左右の後部の部分とも全く同じ状態であるが、左右いづれかの後部を外側から見た場合、前記カバーの後部に存在する四穴の孔２７、そして、略筒状の部分５７の前記外側の壁の一枚となったところ５８に存在するカバーとほぼ密着した状態をつくり出す四穴の孔５９の、その四穴どうしは外内に重なって一つの孔、即ち計八穴の孔が四穴の孔をつくっている状態となっており、上述の如く、八穴で四穴の孔をつくっている場合は、上下に分かれて計二本の伸縮性のある極めて強く切りにくい糸状の物質３３の両端の部分が内側に入っており、それら伸縮性のある極めて強く切りにくい糸状の物質３３を内側から見ると、それら３３は伸ばされた状態で、前記外側の壁の一枚になったところ５９の内側表面に二つ上下に分かれて結び目をつくっている。（図５１、図５５、図５９、図６０参照）【００６１】そのインナーマスク本体５を垂直にして、そのインナーマスク本体５を斜め後ろ上から見た場合、そのインナーマスクのカバーの裏面８６と前記略筒状の部分５７の外側の壁の上を向いている面３５、そして、内側の壁の上を向いている面１１の上に在るテープが、見えない状態になるように、それらを覆う形で、別のテープが貼り付けられており、その理由は、前記伸縮性のある極めて強く切りにくい糸状の物質３３の結び目が前記略筒状の部分５７の外側の壁３４の表面と前記カバーの裏面との間に数体在ることで生じている略筒状の部分５７の外側の壁の上を向いた面３５の表面側とカバーの裏面８６とに空くごくわずかな隙間、そして、［００４５］で説明している状態の外側の壁３４の上先端付近の裏面と密着したように見えるテープと前記外側の���の上先端付近の裏面との隙間が存在しているかもしれない部分を上から塞ぐと云う形でそれらの隙間と隙間が在るかも分からないところを埋めることにより、下の空気取り入れ口８から入って上へ行く空気を前記の隙間と、隙間が在るかも分らないところから逃がさないようにし効率良く空気取り入れ口から入ってきた空気をインナーマスクの装着者の鼻腔入口に入れるようにしている。（図３１、図５１、図７９、図８０、図８９参照）【００６２】  前記略筒状の部分に於て最も重要であるその大きさと人物の頬と接する各部分の位置に於て注意することは、インナーマスクの内部にそのインナーマスクの一部となって略筒状の部分５７が存在するインナーマスクを人物が装着した場合、その人物の鼻から下のところが垂直または、垂直に近い状態ならば、その略筒状の部分５７の外側の壁の上を向いた面３５と内側の壁の上を向いた面１１の上に存在するテープの上面とで成る水平、または水平に近い状態の略筒状の部分５７の壁６６の上面７９と同じ高さでその略筒状の部分の壁６６の内側の略筒状の部分の何もない上面は、その装着者の鼻の下先端部に触れるか触れないかの位置に在り、そして、その時に垂直、もしくは垂直に近い状態となっている外側の壁の後ろ端の縦の辺６７、即ち、略筒状の部分の後ろ端の縦の辺６７は、その下先端は、必ずその装着者の唇の下、即ち顎、または顎の下先端付近の高さに在り、そして、唇の前に在る空洞６２の内面の前先端部を含むその付近の周囲の部分は、その装着者の唇等と密着しておらず、その間はいくらかの距離を有していることが重要であり、人物は上述の状態となるインナーマスクを装着すると云うことである。（図１８、図３２、図４１、図４９、図５０、図８２  図８６、図９７、図９８参照）【００６３】  前記カバーの略筒状の部分を覆う部分２９とインナーマスクとなった時にその内側に在る略筒状の部分５７は、周囲の長さは違うが同じ形状でありそして、前にも述べているようにカバーの略筒状の部分を覆う部分２９の裏側の面と略筒状の部分の表面、即ち略筒状の部分の外側の壁３４の表面は、その間に前記伸縮性のある極めて強く切りにくい糸状の物質３３の結び目が在ることで、その二つの面は完全に密着することは出来ないが、その結び目が小さいためにほぼ密着した状態はつくることが出来、よって垂直にしたインナーマスクを横から見た場合、インナーマスクのカバーの略筒状の部分を覆う部分２９が前へふくらんでいる形状ならば当然その内部の略筒状の部分も前へふくらんでいる形状であり、よって垂直にした状態を横から見た時にカバー１９の最前部の縦の線の全体が前先端部となる形状のインナーマスクを装着した時に、自身の鼻の前先端部が空洞６２の内面の前先端部かその付近に当たると云う装着者は、前記略筒状の部分を覆う部分２９、または略筒状の部分５７の前先端部が前へふくらんでいる状態のインナーマスクを装着した方が良い。（図１４、図１２参照）【００６４】  なを、上から見た場合の略筒状の部分の外側の壁が一枚となったところ５８の外側の壁の後ろ端の縦の辺６７付近、そして、その外側の壁の後ろ端の縦の辺６７付近の表面とほぼ密着して存在する前記カバーの後ろ端の縦の辺２３付近、即ちイン��ーマスク本体５の最後部付近はカーブを有しておらず、それら同じ部分の左右の後ろ端どうしを結んだ直線と直角になる形状は、もし、インナーマスク４装着者の顔の表面が垂直の状態で平面状だったとすればそれら後ろ端の縦の辺付近がその平面状の顔と直角の状態となる形状であり、それは、インナーマスクを装着する人物の顔が平面状でなくても、その人物が装着したインナーマスクが外側にずれにくい形状であり、それは全てのインナーマスクのインナーマスク本体が有している形状である。（図５、図６、図９、図１０、図１１  図１２、図１９、図６５、、図６６参照）【００６５】次はへらの部分４５について説明することにするが、前記インナーマスク本体５の前記カバーの略Ｕ字型の切り込みの部分２０とその周囲、そして、インナーマスクを人物が装着した時に、その装着者の頬と最も近くにくる端の部分に取り付けること、または、それらの部分から取り外すことが出来るそのへらの部分４５は、伸縮性のあるゴム状の物質で出来ており、その内の約半分の部分は、極めて伸縮性があって極めて柔らかく、その極めて柔らかいことでその部分が人物の頬に当たってもその頬にかかる負担が少くなるようにつくられている（図８、図６４、図７１、図７２、図７２、図７７、図７８、図８７、図８８参照）【００６６】  そのへらの部分４５が垂直、または垂直に近い状態で立っているインナーマスク本体に取り付けられた状態を後ろから見ると、Ｕの字の下のところが上になっている略Ｕ字型であり、実際には立てる状態をつくることは出来ないが、未だ、インナーマスク本体に取り付けられていないそのへらの部分４５をＵの字の下の部分が上となる状態で立っている状態をつくったとすると、Ｕの字の左右の縦となっっている部分は、カバーの左右の後ろ端の縦の辺に取り付けられるへらの部分であるが垂直にしたカバーを横から見た場合、そのカバーの後ろ端の縦の辺が垂直でまっ直ぐなものが殆どであるが、その種のカバーの後ろ端の縦の辺に取り付けられるへらの部分４９は当然まっ直ぐであり、そして、同じようにカバーを垂直にして横から見た場合、上先端部とその付近が前へ倒れているカバーの後ろ端の縦の辺となっている場合は、そのカバーの後ろ端の縦の辺と同じように上先端とその付近が前へ倒れている形状のカバーの後ろ端の縦の辺に取り付けられるへらの部分４９を有するへらの部分４５を用いるわけであり、そして、そのカバーの後ろ端の縦の辺に取り付けられる部分４９の上にハの字となって存在している部分はカバーの後部の外周に取り付けられる部分、そして、その上の上先端部を含む水平状に横となって存在する部分は、略Ｕ字型の切り込みの何もない面の後ろにくる部分８０であり、そのへらの部分の内の前記カバーの後部の外周の部分に取り付けられている部分は以後斜めのへらの部分４８と表現する。（図６４、図７１、図７２参照）【００６７】  そして、その立てられた略Ｕ字型のへらの部分４５のＵの字の左右の縦となっった部分、即ちカバーの後部の左右の後ろ端の縦の辺２３に取り付けられる部分が垂直ならば、そのへらの部分４５のカバーの後ろ端の縦の辺に取り付けられる部分４９の、下先端の、インナーマスク本体５にへらの部分が取り付けられ��いる時は前側が下先端となる状態の斜めに存在する下端の部分８１の後ろ先端部から上のカバーの後ろ端に取り付けられる部分４９を水平に、そして、その上の斜めのへらの部分４８の略Ｕ字型の幕状の部分４６が出はじめている部分から下のところをその４８斜めの角度と直角に切断した場合、後に［００８０］で説明する切り込み８２の部分を除いては略Ｙ字型であり、そのへらの部分がインナーマスク本体に取り付けられていない時は、そのＹの字の上のＶの字の部分５３、５４の内側を向いた面には、そのＶの字の部分５３、５４の下先端付近のみを空ける形で紙、または布状の物質６８が貼られている。（図７２、図９９、図８参照）【００６８】その紙、または布状の物質は、帯状となっており、その帯状の紙、または布状の物質６８をへらの部分から４５から剥がすと、その剥がした部分は接着力を有する部分であり、その接着力を有する部分にも伸縮性はあるが、その接着力を有する部分以外のところは、極めて伸縮性があり、極めて柔らかい状態となっている。（図６４、図７１、図７２、図７４、図７５、図７７、図７８、図７９、図８０、図９０、図９１、図９２参照）【００６９】  従って前記略Ｙ字型となったＹの字の上のＶの字以外の部分、即ちＹの字の下の縦となっているところ５２、６１も極めて伸縮性があり、極めて柔らかい状態となっている。（図８、図９９参照）【００７０】  前記カバーの後ろ端の縦の辺付近を上から見た場合、その左右のカバーの後ろ端の縦の辺２３の付近は左右のその部分とも互いに平行な直線状であり、インナーマスクを装着した人物のそのインナーマスクと接する人物の頬が地面と垂直で平面状の場合は、インナーマスが有するそのカバーの後ろ端の縦の辺２３の全体は、その人物の平面状の頬と垂直で、上からその２３付近を見た場合は、その平面状の顔とは直角の位置関係にあり、そして、例えば、インナーマスクを手に持って垂直の状態にし、そして、そのインナーマスクのカバーの後ろ端の縦の辺に取り付けられているへらの部分４９をま後ろから見た場合は、そのＹの字の下の縦となるところ６４は、前記カバーの後ろ端の縦の辺２３の後ろの延長線状に在る角度にはなっておらず、ほんの少し開いてそのＹの字の下の縦となるところの内側の面５２がほんの少しであるが見える状態になっている。（図６、図８、図６６、図７４、図７５、図８０、図８９、図９０、図９１参照）【００７１】  そして、そのＹの字の下の縦となるところ８３は、そのへらの部分の、そのへらの部分がインナーマスク本体に装着された時に下先端付近に在る斜めになった状態の下端の部分の上先端の高さから上の全てのへらの部分に有り、カバーの略Ｕ字型の切り込みの何もない面の後ろにくるへらの部分８０にはＹの字の上のＶの字の内側の部分５４は存在しておらず、Ｙの字の形にはなっていないが、カバーの後ろ端の縦の辺の後ろに存在しているＹの字の下の縦となるところ６４から続いている面状の部分がＹの字の下の縦となるところ８３であり、そして、その下の斜めのへらの部分４８にはＹの字の上のＶの字の部分は在るが、カバーの後ろ端の縦の辺の後ろに存在するＹの字の下の縦のところ６４から続く面状の部分が［００７８］で後に説明するように��めのへらの部分の上先端部で折れ曲がって、または、上先端部付近で折れ曲がっており、その影響を受けて、その斜めのへらの部分４８の上部付近のＹの字の下の縦となるところは、内側、即ち、前側へ折れ曲がっている状態なのでその付近はＹの字の形にはなっていないが、その前側へ曲がっている面状の部分もＹの字の下の縦となるところ８３である。（図６４、図７１参照）【００７２】  前記へらの部分４５の前記Ｙの字の下の縦となるところ８３のＹの字の上のＶの字の下先端からそのＹの字の下の縦となるところ８３の下先端までの長さ、即ち、Ｙの字の下の縦となるところ８３の、インナーマスクを人物が装着した時に前後の状態となる前後幅の長さは、前記へらの部分のカバーの略Ｕ字型の切り込みの何もない面の後ろにくる部分８０のその部分８３を含めて全て同じ前後幅の長さである。（図６４、図７４、図７５、図８９、図９０参照）【００７３】  前記カバー１９の前記後ろ端の縦の辺２３を主とするカバーの後ろ端全体に取り付けられたへらの部分の前記カバーの略Ｕ字型の切り込みの何もない面の後ろに存在するへらの部分８０のＹの字の下の縦となるところ８３の部分の状態は、もし、その略Ｕ字型の切り込みの何もない面の後ろにくるＹの字の下の縦となるところ８３とその付近が硬い状態ならばそのＹの字の下の縦となるところ８３の外側の面６１は、上、または斜め上を向いている状態になるが、前にも述べているようにそのＹの字の下の縦となるところ全体が極めて柔らかい状態となっているので前記の状態を保つことは出来ず、その略Ｕ字型の切り込みの何もない面の後ろにくるへらの部分のＹの字の下の縦となるところの左右の端の部分が、斜めのへらの部分４８の最上部付近に折り込みをつくる状態で内側、即ち下へ折れており、即ち、Ｙの字の下の縦のところ８３の本来は外方向を向く面６１は内側、即ち後ろを向いている状態となっている。（図６４、図７４、図７５、図７９、図８０、図８９、図９０参照）【００７４】  前記インナーマスク４が人物の顔に装着されている状態は、そのインナーマスクに取り付けられた前記へらの部分４５のカバーの略Ｕ字型の切り込みの何もない面の後ろにくる部分８０、あるいは来ている部分のＹの字の下の縦となるところ８３の本来は上、または斜め上を向く状態となる後ろ側を向いている状態となっている外側の面６１、そして、略Ｕ字型の切り込みの何もない面２４の後ろにくるへらの部分の前記Ｙの字の下の縦となるところ８３の部分の左右の端の下に位置する斜めのへらの部分４８のＹの字の下の縦となるところ５０の左右の内側の面、そして、カバーの後ろ端の縦の辺２３の後ろに存在するへらの部分のＹの字の下の縦となるところの内側の面が装着者の頬と密着する状態となっている。（図７４、図８０、図８９参照）【００７５】  ［００７３］で述べているように、カバーに取り付けられたへらの部分４５のそのカバーの略Ｕ字型の切り込みの何もない面２４の後ろにきている部分８０は、その部分８０が有する本来は上、または斜め上を向く状態となるＹの字の下の縦のところの外側の面６１が下に折れ曲がる状態で後ろを向く状態となっており、そのままの状態でへらの部分の人物の顔と対面する面全体を人物の頬に当てる方法を最初にとって人物にインナーマスクを装着するのであるが、その方法をとると、［００７３］で述べているように斜めのへらの部分４８の最上部付近は略Ｕ字型の切り込みの何もない面の後ろにくるＹの字の下の縦のところの部分の左右の端が折れ曲がる状態となっており、その状態になると二つのＹの字の下の縦のところの面が二枚重なり、二枚の面の厚さとなっており、そのままの状態でそのへらの部分を人物の頬に当てようとすると、前記二枚の面の厚さとなっている部分と他の一枚となっている部分が同時に人物の頬に当たるので、そうなると当然二枚の面の厚さのところと触れる頬のところは他と比べて強い圧力が加わることとなるので装着者は違和感を覚える可能性が高くなり、そのようなことが起こることを防ぐために、その二枚の面が重なるところ５１のＹの字の下の縦となるところ８３の面のそれらの部分の厚さは他の面の１／２の厚さとなっている。（図７９、図８０、図８９参照）【００７６】  今迄、前記へらの部分の数ヶ所をＹの字のその形を用いて表現しているが、その略Ｙ字型の形状となる部分は［００６６］と［００６７］で述べているように、未だカバー１９に取り付けられていないへらの部分４５をカバー１９に取り付けられた時と同じように、実際には立っている状態をつくることは出来ないがＵの字の下の部分が上になる状態で立っている状態をつくり、その立てられた略Ｕ字型のへらの部分４５のＵの字の左右の縦となっている部分４９を水平に、そして、斜めのへらの部分の略Ｕ字型の幕状の部分４６から下をその斜めの線と直角横断する形で切断したとすると略Ｙ字型をしている形状であるが、カバー１９に取り付けられたへらの部分４５の、そのカバー１９の略Ｕ字型の切り込みの何もない面２４の後ろにきているへらの部分の面とその付近は、実際にはＹの字の形になっていないが、その面をＹの字の下の縦のところ８３の面と表現したように、これからも略Ｙ字型をつくることが出来ない部分、または略Ｙ字型となっていない部分でも、その部分の元の形が略Ｙ字型、または、その部分と続いている部分が略Ｙ字型をした部分の何処かの部分と続いている形状やそれらと似ている場合は、状況に応じてＹの字の形を用いた表現方法を使うことにする。（図８、図９９参照）【００７７】  ［００６６］で説明しているように、前記へらの部分４５をＵの字の下の部分が上になるように略Ｕ字型に立て、そして［００６７］で説明しているようにその略Ｕ字型のへらの部分のＵの字の左右の縦となった部分、即ちカバーの左右の後ろ端の縦の辺に取り付けられる部分４９を垂直にして、そのカバーの後ろ端に取り付けられる部分４９の後部に存在するＹの字の下の縦となるところ６４の水平の状態となっている下先端部から上の前記カバーの後ろ端に取り付けられる部分４９の何処かを水平に、そして、前記斜めのへらの部分４８の、上から上、中、下と均等の長さに分けた内の中段付近、即ち、［００８４］で説明されている略Ｕ字型の幕状の部分４６が出はじめるＶの字の外側の部分５３よりも下のところを、その斜めのへらの部分４８の斜めの線と直角横断する形でその斜めのへらの部分４８を切断したとすると、その斜めのへらの部分４８のＹの字の下の縦��なるところ５０は、柔らかく、そして斜め下を向いているために垂れ下がっているが、それらの切断面は略Ｙ字型である。（図７４、図９９、図６４参照）【００７８】垂直のインナーマスク本体５に取り付けられたへらの部分４５の略Ｙ字状のＹの字の下の縦のところ８３の状態を上の位置に来ているそのＹの字の下の縦のところから下へと云う順序で説明すると、そのへらの部分のカバーの略Ｕ字型の切り込みの何もない面の後ろにきている水平、またはほぼ水平になっている部分は、前記カバーの後ろ端の縦の辺に取り付けられているへらの部分４９のＹの字の下の縦のところ６４から続いている部分であり、よって、その略Ｕ字型の切り込みの何もない面２４の後ろにきている部分はＹの字の下の縦となるところ８３であり、ある程度の硬さを有していれば上、または斜め上を向いている状態となるその略Ｕ字型の切り込みの何もない面の後ろにきているＹの字の下の縦のところ８３の外側の面６１は、他のＹの字の下の縦のところ８３と同じく柔らかいためにその両横の斜めのへらの部分４８の上先端部付近の高さのところで下へ折れ曲がってその面を後ろに向かせている状態となっており、その略Ｕ字型の切り込みの何もない面の後ろに位置するそのＹの字の下のところ８３の両端の状態は、斜めのへらの部分４８の上先端または、その付近で折れ曲がっており、従ってその斜めのへらの部分４８の、その斜めのへらの部分４８を上、中、下と均等に分けた場合の上段のＹの字の下の縦となるところ５０の内側の面５２の中には、前記略Ｕ字型の切り込みの何もない面の後ろにくる部分８０のＹの字の下の縦となるところ８３の前を向いている状態の内側の面５２と密着して対面するところが生まれる。（図６４、図７４、図７５、図７９、図８０、図８９、図９０参照）【００７９】その二枚のＹの字の下の縦となるところが重なる部分５１は［００７５］で説明しているように、他のＹの字の下の縦となるところ８３と比べて１／２の厚さとなっており、その二枚のＹの字の下の縦となるところが重なる部分５１から下の斜めのへらの部分のＹの字の下の縦となるところ５０は、前記二枚のＹの字の下の縦となるところが重なる部分の下先端部でもあるその上先端部は、内側へ折れる角度となっているが、カバーの後ろ端の縦の辺に取り付けられるへらの部分４９のＹの字の下の縦となるところの上先端部でもある斜めのへらの部分４８のＹの字の下の縦となるところの下先端部は、その下のカバーの後ろ端の縦の辺に取り付けられるへらの部分４９のＹの字の下の縦となるところ６４と同じ、インナーマスク４が人物の顔に装着された時はやや外側に開く角度となっている。（図８０、図８９参照）【００８０】垂直に立てたインナーマスク本体５を前側が左にくる状態でま横から見た場合、前記カバーの後ろ端の縦の辺２３の上先端部から上の後部の外周の部分２１は、左側、即ち前側へ倒れる角度になっており、そして、実際には全体及び素材が柔らかくて立てることは出来ないが、前記へらの部分４５のＵの字の下の部分が上になる状態になるようにへらの部分を垂直に立て、そして、その垂直に立ったへらの部分４５を、例えば、左側が前になっているインナーマスク本体５に取り付けられる前の姿勢に��て、それをま横から見た場合、前記斜めのへらの部分４８は前へ倒れる状態となっており、それは、前記前へ倒れる角度で存在している後部の外周の部分２１にその斜めのへらの部分４８を前側へ倒すことなく装着出来るようにするためであるが、もし、前記後部の外周の部分２１の前へ倒れはじめているところの角度が、前記垂直に立てたへらの部分４５の内の斜めのへらの部分４８の前へ倒れはじめているところの角度よりも鋭角の場合は、その鋭角の部分を有するインナーマスク本体に取り付けられたへらの部分は、そのへらの部分のそのインナーマスクのカバーの後ろ端の縦の辺と後部の外周の部分の境目の内外にくる部分にしわが発生し、へらの部分のＹの字のＶの字状の部分５３、５４のその鋭角の部分の内外に在る部分、即ち、前記へらの部分４５の前記斜めのへらの部分４８と前記カバーの後ろ端の縦の辺に取り付けられる部分４９の境目の部分が外にはみ出す事態が生じる恐れがあり、その事態が生じることを防ぐために前記へらの部分４５の前記斜めのへらの部分と前記カバーの後ろ端の縦の辺に取り付けられる部分４９の境目のところには切り込み８２が存在して前記Ｙの字のＶの字状の部分５３、５４は、前後に分けられた状態で存在しており、インナーマスク本体に前記へらの部分を取り付けた場合、カバーの後ろ端の縦の辺２３と後部の外周の部分２１の境目の角度が予想以上に鋭角なため、前記斜めのへらの部分４８のＶ字状の部分５３、５４の下先端部とカバーの後ろ端の縦の辺に取り付けられる部分４９のＶ字状の部分５３、５４の上先端部が、内外に重なった場合は、どちらかのＶ字状の部分を上、即ち外側にして、その外側になっているＶ字状の部分の接着面を内側のＶ字状の部分の表面に接着すれば良い。（図６８、図６９、図７０参照）【００８１】  カバーの内部に略筒状の部分が取り付けられた状態のインナーマスク本体５にへらの部分４５が取り付けられた状態のインナーマスク４の一部となったへらの部分の内の略Ｙ字状の部分のＹの字の上のＶの字の内側の面５４即ち、接着面を有する面が外側を向いている帯状の部分、以後、その部分をＶの字の内側の部分５４と表現するが、そのインナーマスクに取り付けられているへらの部分４５のＹの字のＶの字の内側の部分５４の形状と状態は、カバーの後部の外周の部分２１の上先端付近の内側の面に密着した状態で存在しているそのＶの字の内側の部分５４の上先端部から、その下のカバーの後ろ端の縦の辺２３の下先端部付近の内側の面と密着して存在するＶの字の内側の部分５４の前部を下先端とする斜めの状態の下端の部分８１の最後部、即ち、その下端の部分８１の最上部までは、途中で前記切り込み８２こそ在るが全て同じ前後幅の長さであり、そのＶの字の内側の部分５４の下端の部分８１は、カバーの下面の外周、即ちカバーの下端の部分２６を横から見た時の、そのカバーの下端の部分２６の斜めの角度と同じ角度と同じ、即ち二つの下端の部分２６、８１は平行であり、そのＶの字の内側の部分５４の前記下端の部分は、インナーマスクの下面を外側横から見た場合は、決して下へははみ出しておらず、そして、そのＶの字の内側の部分５４の外側を向いた面５６の上先端から下先端までには、途中に前記切り込みが存在しているので上下に分けられる形になるが、接着力を有する帯状の部分６８が在り、その接着力を有する帯状の部分６８は、カバーの裏面と前記略筒状の部分の前記外側の壁が一枚となったところの後ろ端の部分６７、即ち外側の壁の後ろ端の縦の辺との間にある、その二枚の壁状の部分１９、３４の間に在る前記伸縮性のある極めて強く切りにくい糸状の物質３３の結び目が在ることによって生じる隙間を埋める形で、そして、前記略筒状の部分５７の前記外側の壁が一枚となったところ５８に存在する複数の孔５９とそれら５９から出ている伸縮性のある極めて強く切りにくい糸状の物質３３とその結び目を隠す形でカバーの後ろ端の縦の辺付近の内面に貼られている。（図８、図１０２参照）【００８２】  内部に略筒状の部分５７が取り付けられているカバーに取り付けられたへらの部分４５の前記Ｙの字のＶの字の内側の部分５４と前記カバーの後ろ端の縦の辺２３等の部分を挟んで存在するへらの部分のＶの字の外側の部分５３の形状と状態は、そのＶの字の外側の部分の下端の部分は、前記Ｖの字の内側の部分の下端の部分と同じ高さで同じ斜めの角度となって、そのＶの字の内外の二つの部分５３、５４の間に、カバーの後ろ端の縦の辺付近のカバーの部分とその内側に存在する略筒状の部分の外側の壁が一枚となったところ５８を挟む状態で存在しており、もし、それら１９、５８が無く、カバーの後ろ端の縦の辺に取り付けられるへらの部分４８のＹの字の上のＶの字の内外の部分５３、５４をそれら５３、５４の内側が密着するように重ねた場合、どちらの下端の部分も下へはみ出すことはなく、そして、Ｖの字の内外の部分の前先端部、即ち、インナーマスク本体に取り付けられた時は、垂直かほぼ垂直となる前先端部はどちら５３、５４の前先端部のどちらも前へはみ出さず、カバーの後ろ端の縦の辺に取り付けられたそれら５３、５４の前先端部は揃う状態となっている。（図５３、図６３、図９７、図９８、図７２参照）【００８３】  そして、そのＶの字の外側の部分５３の後ろへ向って上がった斜めの状態となっている下端の部分の最後部の高さのところから斜めのへらの部分の中段付近、即ち、そのＶの字の外側の部分５３の［００８４］で説明する略Ｕ字型の幕状の部分４６が出はじめているすぐ下のところまで同じ前後幅の長さで続いており、そして、Ｖの字の内外の部分５３、５４の内側には接着面が有り、その接着面が在ることでカバーの後ろ端の縦の辺２３とその付近のところを覆う形で取り付けられるそのＶの字の内外の部分５３、５４は、そのカバーの後ろ端の縦の辺２３の付近に在る表裏側の伸縮性のある極めて強く切りにくい糸状の物質３３と、それら３３が入った孔２７、５９を隠す形で取り付けることが出来る。（図６４、図７０、図７２、図７７、図７８参照）【００８４】  カバー等に取り付けられたＶの字の外側の部分５３の斜めのへらの部分４８の中段付近は、略Ｕ字型の幕状の部分４６が出はじめるところとなっており、その略Ｕ字型の幕状の部分４６の形状は、インナーマスク本体５に取り付けられたカバーの略Ｕ字型の切り込み２０を覆う形で存在するその略Ｕ字型の幕状の部分４６をま上から見た場合、その中央を前後に走る見えない直線を中心にして左右対称となって存在している。（図１９、図８５、図７１、図７２参照）【００８５】  そのＶの字の外側の部分５３の略Ｕ字型の面４６は、その周囲の裏側の部分に貼り付けられた紙、または布状の物質を剥がすと、そこは接着面となっており、その接着面が在る部分は、その内側の部分と比べて厚く、へらの部分４５の他の接着面と同じ厚さとなっており、その略Ｕ字型の面４６の周囲の裏側に有る接着面は、へらの部分がカバーに取り付けられた時は、そのカバーの略Ｕ字型の切り込み２０の周囲の表面と接着している状態となっており、その内側の略Ｕ字型の切り込み２０の何もない面を上から塞いでいる部分は極めて薄く伸縮性に優れている。（図４６、図６４、図７２、図７３、図７４、図８７、図８８、図９３、図９４参照）【００８６】  へらの部分４５の裏側に在る帯状の紙、または布状の物質を剥がすと接着面が現れるわけであるが、その帯状の紙、または布状の物質はひとつづきにはなっておらず、間隔を開けずにいくつかに分けられて前記接着面に貼り付けられており、その状態で前記接着面に貼り付けられていることで、カバーにへらの部分を取り付ける時は、その帯状の紙、または布状の物質６８を一つづつ剥がしてカバーの指定されたところに接着面を貼り付ける作業を行うので、接着面どうしが引っつくトラブルが解消されへらの部分をカバーに取り付ける作業が行いやすくなる。（図７２、図７７、図９２、図９４、図９５  図９２参照）【００８７】  インナーマスクを人物の顔に装着する方法は一つの例として、両手の親指と人差し指で、前記へらの部分のカバーの略Ｕ字型の切り込みの何もない面の後ろにきている部分８０の装着者側を向く状態となっているＹの字の下の縦のところの外側の面の両端の部分を含むその付近をつまみ、そのＹの字の下の縦となるところの外側の面が装着者側を向いた状態を保ちながら左右に伸ばし、そのままの状態でそのＹの字の下の縦のところの外側の面６１を装着者の鼻の上部に当てて、そのままの状態でインナーマスクの下端の部分を装着者、即ち自身の顎付近に引き寄せて前記へらの部分４５のＹの字の下の縦のところの内外の部分５３、５４が頬に完全に密着していなくてもよいので、とりあえず、ひも状の部分４１に自身の左右の耳をひっかけ、そして、へらの部分のカバーの略Ｕ字型の切り込みの何もない面の後ろにきている部分８０のＹの字の下の縦のところの外側の面５３を装着者の鼻の上部のカーブのところに、そして、その８０Ｙの字の下の縦のところの左右の端のところに在るＹの字の下の縦のところが折れて二枚に重なっているところ５１を装着者の鼻の上部の左右の頬に密着させ、そして、左右の斜めのへらの部分４８のＹの字の下の縦のところ５０を前外側へめくり、そして、そのめくった指を離し、そのＹの字の下の縦のところ５０が戻る力を利用して、その斜めのへらの部分４８のＹの字の縦の下になるところの内側の面５２を装着者の頬に密着させる。（図７９、図８９、図９０、図９１参照）【００８８】  そして、未だ完全に装着者の頬に密着していないへらの部分のカバーの後ろ端に取り付けられる部分４９のＹの字の下の縦となるところの内側の面５２を装着者の頬に密着させるために、その４９��Ｙの字の下の縦となるところ６４を前外側へめくり、〔００８７〕と同じように、その４９のＹの字の下の縦となるところ６４が元に戻る力を利用してその６４のＹの字の下の縦となるところの内側の面５２を装着者の頬に密着させる。（図８０参照）【００８９】そして、カバーの後ろ端の縦の辺２３の後ろに存在するへらの部分の
0004806097.tif 000003
の部分と横頬との間の頬に密着していること、そして、略筒状の部分の内面、または、略筒状の部分を覆う部分２９の内側の面１０に自身の鼻の前先端部かその他の鼻の部分等が当たっていないこと、そして、略筒状の部分５７の何もない上面が自身の鼻腔入口の、または、鼻の下先端部のすぐ下、即ちそれらのところとほぼ密着するぐらいの下の位置に在り、そして、自身の唇の前先端が略筒状の部分５７の内面の前先端部かその付近に前記網状の幕２と糸状の部材７を挟んで当たっておらず、装着者が行う鼻から吸って口から吐く呼吸の妨げにならない位置に在ることを確認し、それらの状態になっていれば今、装着しているそのインナーマスク４は自分自身に合っていると云うことであり、もし、それらの状態になっていなければ、それらの状態になるインナーマスクを装着し、そして、その装着されたインナーマスクの上からそのインナーマスクをすっぽりと覆うことが出来る四辺が自身の頬と密着する状態となる前記広い長方形の部分を有するマスクを自身の頬に装着する。（図１８、図２３、図４９、図５０、図８２、図８６、図９７、図９８参照）【００９０】自分身身に合う〔００８９〕の状態にインナーマスクを自分身身が装着している前記広い長方形の部分を有するマスクの内側に装着し、そして、その状態で鼻から吸気を行うと、その人物の顎の下に在る空気、歩行時は特にその人物の顎の下を前から後ろへと通過しようとする空気が、その人物の顎の下先端付近の前に在る前記広い長方形の部分を有するマスクのその長方形の部分の繊維状の網の目から吸い上げられる形でその繊維状の網の目の中に入り、その繊維状の網の目の中に入った空気は、その上の、インナーマスクが垂直になった場合は水平の状態となる前記勾配を有する面の下端の部分３１の下に在る前の縦の辺全体が前先端部となる形状、または、前先端部がふくらんだ形状のそのカバーの略筒状の部分を覆う部分２９の内側のその略筒状の部分を覆う部分２９の裏面とほぼ密着して存在する、水平となった何もない上面が装着者の鼻の下先端部と密着するくらの位置の鼻下先端部の下に在る略筒状の部分５７の内側の壁の内面と、その後ろの外側の壁が一枚となったところ５８、即ち略筒状の部分の内面とその装着者の口の周りの皮膚によってつくられる、上端のカバーの裏面と略筒状の部分の外側の壁の上を向いた面３５との隙間、そして、その外側の壁の上面３５と内側の壁の上を向いた面１１とその付近を覆う形となっているテープとの間の隙間が在るかも分らない部分を上から、空気が出入り出来ないようにテープが貼られている略筒状の空洞の下面に張られた網の目状の部分３からその空洞の中に入り、そして、その空洞の中に入った空気は、その空道の中に存在する超軽量で水がしみ込みやすく静電気を発生させない素材で出来たその空洞内部を横断し、そして、斜め横断している、前記網状の幕２を後ろ側から押す形となっている装着者の唇とその付近の頬に押されて伸びているもの以外はたるんだ状態の伸縮性が在る多数本の糸状の部材が在るところを下から上へと通り、そして、それら多数本の糸状の部材７が湿気を帯びている状態になっていたならば、前記略筒状の空洞６２の網の目状の下面３からその空洞の中に入り、その空洞内を下から上へと通過した空気は、前記広い長方形の部分の繊維状の網の目をくぐり抜けて中に入った時に空気中に在ったインフルエンザウィルス、花粉、ほこり等は、湿気を帯びていることでそれらをよりからめ取りやすくなった糸状の部材７によって、その中のいくらかがからめ取られ、そして、空気が通るとそれら糸状の部材が揺れるので、それら湿気を帯びた糸状の部材が揺れることによりその空洞内の湿度はますます高くなり、空道内の湿度が高くなることにより、その空洞内に入った湿気に弱い性質を持つインフルエンザウィルスはかなりのダメージを与えられ、それらインフルエンザウィルスがたとえ、その装着者の上気道内に着床したとしても、その上気道内も湿気が充満していると考えられるのでそこで増殖することはかなり困難であり、そして、特に日本の冬等は外気が乾燥していたとしても、前記略筒状の空道内に存在する多数本の糸状の部材が湿気を帯びている状態ならば乾燥した外気とは比べものにならない湿度の高い喉や鼻に良い空気を装着者の鼻腔入口に送ることが出来る。（図８、図１８、図２４、図３１、図３２、図３４、図３５、図３６、図３７  図３９、図４０、図４１、図４９、図５０、図５１、図５２、図５３、図５７、図６５、図６６、図７４、図７５、図８２、図８９、図９７、図９８、図８３、図８４参照）【００９１】  自分自身に装着された前記広い長方形の部分を有するマスク７の内側に［００８９］の状態になる自分自身に合ったインナーマスクを装着している状態で呼吸をした場合、その呼吸がスムースに行かないことにより、例えば鼻で吸気を行った時にその吸気がスムースに行かないこと等により息苦しさを覚えた場合は、現在自分自身に装着されている広い長方形の部分を有するマスクを自分自身の顔から外し、後、自分自身の顔に装着されているインナーマスクを外し、後、その自分自身に合ったインナーマスクの略筒状の部分の外側の壁が有する窓状の部分と、その外側の壁が有する窓状の部分３６と同じ大きさと形状の略筒状の部分の内側の壁が有する窓状の部分１６が外内に重なって出来る略筒状の部分の窓状の部分６９と、その外側に存在する、前記略筒状の部分の窓状の部分６９と同じ大きさと形状のカバーが有する窓状の部分３０が内外に重なってインナーマスクの窓状の部分をつくっているが、そのインナーマスクの窓状の部分６は、薄紙５枚以下の厚さを有する物質が自身が有する接着力で、または両面テープでその窓状の周囲のカバーの表面を接着する形で塞いでいるので、その薄紙５枚以下の物質６５をカバーの表面から外して、前記インナーマスクの窓状の部分から、その窓状の部分６の中央の幕状となった前記網の目状の部分を全体に有している袋状の物体１の網の目状の部分８５を通してではあるが、空気が自由に出入り出来る状態にする。（図２２、図２３、図５１、図５３、図６３、参照）【００９２】  そして、自身の顔に、その窓状の部分から空気が自由に出入り出来る状態となったインナーマスク４を装着し、その上から前記広い長方形の部分を有するマスクを装着する。（図５３、図５７参照）【００９３】〔００９２〕の状態で人物が鼻から吸気を行うと、前記窓状の部分から空気が自由に出入り出来る状態となったインナーマスク４の空気取り入れ口は、前記略筒状の空道の下面８と前記窓状の部分６の二ヶ所となるので、その装着者の顎の下に在る空気、そして、顎の下を通過しようとする空気のいくらかは〔００９０〕で述べている方法及び状態で装着者の鼻腔入口に入り、そして、前記窓状の部分６の上先端は装着者の口の上先端付近に在り、下先端は顎の付近に在るので装着者の口付近の前に在る空気のいくらかは前記広い長方形の部分を有するマスク４２に広い長方形の部分６３の口付近の前にに在る繊維状の網の目から中に入り、そして、その繊維状の網の目から中に入った空気は前記窓状の部分６から略筒状の空洞に入り、その略筒状の空洞の中の空気は前記窓状の部分の下先端の高さから上に在るその略筒状の空洞内に存在する多数本の糸状の部材７のあるところを通って鼻腔入口に入る。（図３１、図３２、図４１、図５１、図５３、図８２参照）【００９４】〔００９３〕の方法で外気を取り入れることは、〔００９０〕の方法と比べれば呼吸は楽になるが、〔００９３〕の方法では前記略筒状の空道の下面から上面を通過して、即ち多数本の糸状の部材の在るところの下先端からその上先端を通過して鼻腔入口に入る空気の量は少くなるので、当然〔００９０〕の方法よりは湿度の高い空気を鼻腔入口に送ることは出来ないが、それでも今迄のマスクのみを装着する方法等と比べれば、はるかに湿度は高く少い数量のインフルエンザウイルス、花粉、ほこり等を含む空気を鼻腔入口まで送ることが出来る。（図５３、図８２参照）【００９５】  次はインナーマスクの内部に存在する多数本の糸状の部材７をインナーマスク４から取り外して、後、そのインナーマスク４に新しい多数本の糸状の部材７を取り付ける方法、即ちインナーマスクの一部を成す多数本の糸状の部材を交換する方法について説明する。【００９６】前記多数本の糸状の部材７は、前記略筒状の部分の内側の、内側の壁を主とする部分９の内側に存在しているので、その多数本の糸状の部材７を取り替えるには、その略筒状の部分５７の内側に存在する内側の壁を主とする部分を９インナーマスクから取り外す必要がある。【００９７】  そうするためには、まず第一に、インナーマスクとなった状態のインナーマスク本体に取り付けられているへらの部分４５の全て、または、そのへらの部分４５のカバーの後ろ端の縦の辺２３も含めたその付近の表面と略筒状の部分の外側の壁が一枚となったところ５８の内側の面に貼り付けられている部分５４、即ちへらの部分のカバーの後ろ端の縦の辺に取り付けられる部分４９のＹの字の上のＶの字の内外の部分５３、５４の左右の内側の面５５、５６に接着された状態で存在している接着面をそれらの部分２３、５８から剥がし、後で、そのへらの部分４５を再びそのインナーマスク本体５、または別のインナーマスク本体５に接着するならば、前記インナーマスク４から剥がすことにより、むき出しになった前記接着面が、他のむき出しになった接着面と密着し、それらを互いに離すことが困難となる状況が起こることをさけるために、むき出しになった全ての接着面に、インナーマスク装着前にそれら接着面に貼られていた帯状の布状、または紙状の物質６８を貼り付けておく。（図７７、��７８、図７２参照）【００９８】  前記へらの部分４５を、カバーの後ろ端の縦の辺２３も含めたその付近の表面と略筒状の部分の外側の壁が一枚となったところ５８の内側の面から剥がすと、それまでそのへらの部分に隠れていて外からは見えない状態になっていた前記カバーの後ろ端の縦の辺２３付近の複数の孔に入っている状態の、伸縮性のある極めて強く切りにくい糸状の物質３３が外側から、そして、前記略筒状の部分の外側の壁が一枚となったところの複数の孔５９から出ている結び目も含めた伸縮性のある極めて強く切りにくい糸状の物質３３が内側から、それぞれ見ることが出来る状態になり、その伸縮性のある極めて強く切りにくい糸状の物質３３を鋏またはペンチ等で切断するか、または、前記結び目をほどき、後、略筒状の部分の上先端の上面７９とともにその付近のカバーの裏面に貼られているテープを剥がせば略筒状の部分５７はカバー１９から外すことは出来るが、初めにテープを剥がす作業を行い後、伸縮性のある極めて強く切りにくい糸状の物質３３を切断、またはその結び目をほどく作業を行ってもよい。（図５５、図７７、図７８参照）【００９９】  そして、その略筒状の部分５７の表面、即ち外側の壁の複数の孔３７の表面側に存在する結び目がある伸縮性のある極めて強く切りにくい糸状の物質３３を鋏、またはペンチ等で切断するか、または、その結び目をほどけば、略筒状の部分５７の外側の壁３４から内側の壁を主とする部分を外すことが出来る。（図５６参照）【０１００】  そして、新しい多数本の糸状の部材７をインナーマスクに取り付けるには、その多数本の糸状の部材７を内部に有している新しい内側の壁を主とする部分９を前記外側の壁の内側に取り付けるわけである。【０１０１】  その新しい内側の壁を主とする部分９は、前記インナーマスク４から取り外した前記内側の壁を主とする部分９と全く同じ形状でなくてはならず、そのインナーマスクから取り外した内側の壁を主とする部分９が有していた孔の数とそれらの位置も前記新しい内側の壁を主とする部分９は、同じ状態で有していなければならない。（図２５、図３３、図３４、図３５、図３６、図３７、図３８参照）【０１０２】  外側の壁３４に取り付けられるまえの内側の壁を主とする部分９には、全体の長さの約１／３の長さ、またはそれ以下の長さの部分が内側の壁１０の裏面に密着した状態で存在する数本の伸縮性のある極めて強く切りにくい糸状の物質３３が存在しており、それら、それぞれの伸縮性のある極めて強く切りにくい糸状の物質は、内側の壁に存在する複数のその伸縮性のある極めて強く切りにくい糸状の物質を入れるための孔１５の全ての穴に、それぞれ、それら３３の内の一本づつが隣接して存在する二穴の孔１５の中に入ると云う形式で、前記内側の壁を主とする部分の一部として存在しており、それら、それぞれの伸縮性のある極めて強く切りにくい糸状の物質３３の両端は、内側の壁を主とする部分９の表面となって存在する網の目状の部分を全体に有している袋状の物体１の網の目を突き抜けて外側に出ており、そして、それら、それぞれの伸縮性のある極めて強く切りにくい糸状の物質３３の両端の部分は、それらの両端、または片方の端が前記内側の壁の内部���入ることを防止するために軽く結ばれているかクリップ等で止められている。（図３３参照）【０１０３】  その新しい内側の壁を主とする部分９を前記外側の壁の裏面に取り付けて略筒状の部分５７の形状をつくる作業は極めて簡単であり、その方法は、前記新しい内側の壁を主とする部分９の外側に出ている伸縮性のある極めて強く切りにくい糸状の物質３３の結ばれた状態の結び目をほどくか、または、その両端を止めてあるクリップを外してその両端をフリーの状態にして、そのフリーになった両端の部分を、その穴に通して外側の壁の裏面と内側の壁を主とする部分９の表面８５を密着する状態をつくれば元の略筒状の部分５７の形状をつくることが出来ると判断したそれぞれの外側の壁が有する孔３７にそれら伸縮性のある極めて強く切りにくい糸状の物質３３の端の部分を、外側の壁の裏面側から通して表面側に出し、そして、その表面側に伸縮性のある極めて強く切りにくい糸状の物質の結び目をつくると云う方法であり、それは手で行うかピンセットを用いてもできる。（図４７、図４８、図５８、図６２参照）【０１０４】  そして、カバー１９に略筒状の部分５７を取り付ける方法は、カバーの後ろ端の縦の辺２３付近に見えない縦の線上に在る複数のの孔２７の内のそれぞれ上下に隣接する二つの孔に、その二つの孔の間の距離の長さの約三倍、または、それ以上の長さを有する伸縮性のある極めて強く切りにくい糸状の物質３３の両端の部分を、そのカバーの表側から通し、そして、そのカバーの裏側に出た伸縮性のある極めて強く切りにくい糸状の物質のその両端の部分を、それら２７、それぞれの穴に通して前記カバーの裏面と略筒状の部分の外側の壁の表面をほぼ密着する状態をつくればインナーマスク本体５の形状がつくることが出来ると判断したそれら、それぞれの穴、即ち、略筒状の部分の外側の壁が一枚となったところに存在する複数の孔５９の一つ一つに前記伸縮性のある極めて強く切りにくい糸状の物質３３の端の部分を、その外側の壁が一枚となったところの表側から通し、そして、その伸縮性のある極めて強く切りにくい糸状の物質を伸ばした状態のまま、その外側の壁の一枚となったところの内側の面に密着する形で、その伸縮性のある極めて強く切りにくい糸状の物質３３の結び目をつくり、それは手で行ってもピンセットを用いて行っても良い。そして、後、カバーの裏面と略筒状の部分の外側の壁の上面３５とに空く隙間、そして、略筒状の部分の外側の壁の上面３５とテープが貼られた内側の壁の上面１１とに空く隙間を塞ぐ形でテープを貼り付ける。（図５４、図５９、図６０参照）【０１０５】  前記カバー１９の裏側の面に、前記略筒状の部分５７が取り付けられているインナーマスク本体５にへらの部分４５を取り付ければインナーマスクの形状をつくる作業は完了であるが、前記インナーマスク４から前記略筒状の部分の内側の壁を主とする部分９を取り外す作業の内で最初に行ったインナーマスクから前記へらの部分４５を取り外す作業が完了した時のそのインナーマスクに取り付けられているへらの部分４５の状態が、そのへらの部分４５の内の、［００６６］の状態で垂直にしたへらの部分４５の水平切断面の略Ｙ字型をした部分のＹの字の上のＶの字���外側の部分５３の内側の面５５に在る接着面の内の前記カバーの後ろ端の縦の辺付近の表面に接着する部分、そして、Ｖの字の内側の部分５４の内側の面５６に在る前記略筒状の部分５７の外側の壁が一枚となったところ５８の内側の面に接着していた部分のみをそれらの部分２３、５８から剥がしただけの状態である場合は、それらインナーマスクから剥がされた接着面に貼られている帯状の紙、または布状の物質６８をそれらの接着面から剥がし、それらの接着面で前記伸縮性のある極めて強く切りにくい糸状の物質３３とその結び目を隠す形で、そのへらの部分５が剥がされるまえのインナーマスクになるようにそのへらの部分５をそのインナーマスクのカバーの後ろ端の縦の辺２３を含むその付近に貼り付ければ良い。（図７８参照）【０１０６】  そして、インナーマスクから略筒状の部分の内側の壁を主とする部分９を取り外す作業の内で最初に行ったインナーマスクからへらの部分４５を外す作業の時に、前記インナーマスクからへらの部分４５の全てを外した場合、そのへらの部分４５の全ての接着面には、前記切り込みにより上下に分けられた状態のその接着面の上に、一見隙間無く見えるが、いくつかに分けられた状態の帯状の紙、または布状の物質６８が存在しており、それら６８は、分けられた状態で前記接着面全体に貼られていることにより、簡単に、いくつかに分けられて接着面の部分から剥がすことが出来、そして、そのへらの部分、またはそのへらの部分と全く同じ大きさと形状のへらの部分を前記インナーマスクに取り付ける作業は、前記へらの部分４５の前記略Ｕ字型の幕状の部分４６の裏側の面の周囲全体の接着面にいくつかに分けられて貼られている内の前先端部、または前先端部付近に貼られている帯状の紙、または布状の物質６８をその接着面から剥がし、そして、それら６８を剥がすことによってむき出しになった、略Ｕ字型の幕状の部分４６の裏面の前先端部、または前先端部付近の接着面を、前記カバーの略Ｕ字型の切り込み２０の部分の前側のカバーの表面に接着し、その方法で、カバーの略Ｕ字型の切り込みの部分の周囲全体のカバー１９の表面に、前記略Ｕ字型の幕状の部分４６を取り付ける作業が、インナーマスク本体にへらの部分を取り付ける作業の中で最初に行われる作業である。（図９２、図９３、図９４、図９５参照）【０１０７】  その、カバーの略Ｕ字型の切り込み２０の上から、その略Ｕ字型の切り込みの何も無い面２４を塞ぐ形で前記略Ｕ字型の幕状の部分を取り付ける作業を終えると、次は、その８０下の斜めのへらの部分４８の略Ｙ字状のＹの字の上のＶの字状の部分５３、５４の左右の内側の部分５５、５６に帯状となって存在する接着面に貼られている帯状の紙、または布状の物質６８をその接着面から剥がし、その帯状の紙、または布状の物質を剥がすことによってむき出しになった接着面をカバーの後部の外周の部分２１付近の表裏の面に貼り付ける形で、そのへらの部分の内の斜めのへらの部分４８を前記カバーの後部の外周の部分２１を覆う形でカバーの後部の外周も含めたその付近に取り付ける。【０１０８】  そのへらの部分の内の斜めのへらの部分４８をカバーの後部の外周の部分２１に取り付ける作業が終わると次は、その下���カバーの後ろ端の縦の辺２３とその付近に前記へらの部分の内のカバーの後ろ端の縦の辺とその付近にくる部分４９を取り付けるわけであるが、その取り付け方は、前記へらの部分のカバーの後ろ端の縦の辺とその付近にくる部分４９の内の略Ｙ字型の上のＶの字状の部分５３、５４の内側に、その二つの互いに向い合った内側の面５５、５６が有する帯状となった接着面に、一つにつながった状態で見えるがいくつかに分かれて貼られている帯状の紙、または布状の物質６８を、上からＶの字状の外側の部分の内側、５５次はＶの字状の内側の部分の内側５６と順番に剥がしていき、それら６８を剥がすごとに新たにむき出しになった接着面がＶの字状の外側の部分５３の内側に在る場合は、その接着面を、前記カバーの後ろ端の縦の辺付近の表面側、そしてＶの字状の内側の部分５４の内側に接着面が在る場合は、その接着面を、カバーの後ろ端の縦の辺２３の付近の裏側の面、とその前の略筒状の部分の外側の壁の後ろ端の部分６７、違った表現をすれば、外側の壁が一枚となったところの後ろ端の部分６７、そして、その前の外側の壁が一枚となったところの裏面を隠す形で、一つの接着面がむき出しになったらすぐにそのむき出しになった接着面を上記の如く貼り付けていき、その作業がカバーの後ろ端の縦の辺２３の下先端付近で終わると、インナーマスク本体に前記へらの部分を取り付ける作業が終わることとなるが、上の［０１０６］［０１０７］［０１０８］で説明しているインナーマスク本体にへらの部分を取り付ける作業は、あくまでも一例であり、その作業はそれを行う人がやりやすい方法をとれば良い。（図７８、図６３参照）
【産業上の利用可能性】
【０１０９】  マスクを装着して呼吸を行うと息苦しさを覚えると云う理由から今迄マスクを装着しなかった人にマスクを装着する機会を与え、また、日本の冬に多い外気が乾燥している状態の日でも高湿度の喉に負担を与えない空気を前記広い長方形の部分を有するマスクの内側に前記インナーマスクを装着することにより可能にし、そして、今迄マスクのみを装着していた方法とは極めて少い量のインフルエンザウィルス、花粉、ほこり等を含んだ空気をインナーマスクを装着した人物の鼻腔入口に送る。
【図面の簡単な説明】
【０１１０】
【図１】横から見た場合の人物の一般的によく見られる鼻の形状であり、この書類中の文章内で説明されている鼻の上部、中部、下部を現わした図である。
【図２】横から見た場合の前先端部付近が下先端部となる形状をした人物の鼻であり、その鼻を上部、中部、下部とこの書類中で説明されているそれらの部分を現わした図である。
【図３】前から見た場合の、俗に云う前を向いた鼻の形状であり、この書類中で度々説明される鼻の上部、中部、下部を現わした図である。
【図４】前から見た場合の一般的な人物の鼻の形状であり、この書類中に書かれている鼻の上部、中部、下部はどのあたりかを示している図。
【図５】略Ｕ字型の外周を有するインナーマスクの、インナーマスクを人物が装着した時のその人物の口の高さにくる壁状の部分と網の目状の部分を全体に有している袋状の物体等を線として表現しているその人物の口の高さのところの水平断面図である。
【図６】略Ｕ字型の外周を有するインナーマスクのみを装着した人物の口の高さのところを水平に切断し、主な切断面を線の状態にして現わした図である。
【図７】垂直に建った壁に前にふくらんでいない略筒状の部分を覆う部分を有するカバーを指でその壁の方向に押し付けて、そのカバーを浮かしている図である。
【図８】垂直にしたインナーマスクのカバーの左の後ろ端の辺の中段付近の水平断面図である。
【図９】前にふくらんでいない略筒状の部分を覆う部分を有する略Ｕ字型の外周を持つカバーを垂直にして上から見た図である。
【図１０】前にふくらんでいない略筒状の部分を覆う部分を有する略コ字型の外周を持つカバーを垂直にして上から見た図である。
【図１１】前にふくらんでいない略筒状の部分を覆う部分を有する略Ｖ字型の外周を持つカバーを垂直にして上から見た図である。
【図１２】前がふくらんだ略筒状の部分を覆う部分を有する略Ｕ字型の外周を持つカバーを垂直にして上から見た図である。
【図１３】略筒状の部分を覆う部分が前へふくらんでおらず、他の前にふくらんでいない略筒状の部分を有しているカバーと同じように、カバーを垂直にするとそのカバーが有する略筒状の部分の前の縦の線全体が前先端となるカバーを垂直にしてその状態を左横から見た図。
【図１４】前がふくらんでいる略筒状の部分を覆う部分を有するカバーを垂直にして横から見た図である。
【図１５】略Ｕ字型の切り込みの周囲全体が上先端となるカバーを垂直にして横からそのカバーの上部を見た図。
【図１６】略Ｕ字型の切り込みの前先端部が上先端となる形状のカバーを垂直にして、そのカバーの上部を横から見た図である。
【図１７】略Ｕ字型の切り込みの後ろ先端部が上先端部となる形状のカバーを垂直にしてそのカバーの上部を横から見た図である。
【図１８】インナーマスクのみを装着した人物の、その装着者の鼻の前先端部と、その装着者の鼻の前に在るそのインナーマスク内の略筒状の空洞の前先端部との距離を現わした図である。
【図１９】インナーマスクの略筒状の部分を覆う部分の前の縦の線全体が、そのインナーマスクを垂直にした場合に前先端となる略Ｕ字型の外周を持つインナーマスクを人物が装着しており、その人物に装着されたインナーマスクが垂直になった時に上からそのインナーマスクを見た時に上から見えるインナーマスクの様子を分りやすくした図である。
【図２０】略筒状の部分を覆う部分が前へふくらんでいない状態の上部が前へ倒れる状態で曲がる後ろ端の縦の辺を有するカバーを左横から見た図である。
【図２１】図２０の略Ｕ字型のカバーをま上から見た図である。
【図２２】正面から見た場合に後ろ端の縦の辺が見やすい略Ｕ字、または略Ｖ字型の外周を有するカバーを垂直にし、そして、そのカバーの窓状の部分を塞ぐ形で貼られている幕状の物質を貼がそうとしている状態を正面から見た図である。
【図２３】略Ｖ字型の外周を有するインナーマスクを装着した人物の顔を正面やや上から見た図である。
【図２４】略筒状の部分の窓状の部分の後ろのところを縦にその略筒状の部分を横断する形で切断したところの左側下部の図である。
【図２５】沢山の糸状の物質が、内側の壁の糸状の物質が入るための孔に入っている状態を現した図である。
【図２６】略筒状の部分に未だ成っていない外側の壁を左横から見た図である。
【図２７】図２６の外側の壁を左横斜め上から見た図である。
【図２８】略筒状の部分の二つの壁を接近させるための最も上の孔の在るところを水平に切断した壁状の部分等を線で表現し、実際には在る沢山の糸状の物質を省いた図である。
【図２９】略筒状の部分に成っておらず、そして、内側の壁を主とする部分にも成っていない内側の壁を垂直にして左横から見た図。
【図３０】図２９の内側の壁を斜め左上から見た図である。
【図３１】略筒状の部分の外側の壁と内側の壁の接続状況を分りやすくするために実際にはこの場所には存在しない伸縮性のある極めて強く切りにくい糸状の物質等も描いており、垂直にした場合、略筒状の部分を覆う部分の前部の縦の線全体が前先端部となるインナーマスクの略筒状の部分を覆う部分の中央の高さのその前部の左右の横幅の中央縦縦断面図である。
【図３２】略Ｕ字型の前部が前にふくらんでいない略筒状の部分を左斜め前上から見た図である。
【図３３】図３２の略筒状の部分の内側に存在するまえの内側の壁を主とする部分を左斜め前上から見た図である。
【図３４】前部が前にふくらんでいない内側の壁を主とする部分をま下から見てその内部の様子を現わした図である。
【図３５】図３４の略Ｕ字型の内側の壁を主とする部分をま上から見てその内部と底の様子を簡単に現した図である。
【図３６】略Ｕ字型の内側の壁を主とする部分の窓状の部分の中段のところを水平に切断した面を上から見て沢山の糸状の物質と内側の壁の関係を分りやすくした図である。
【図３７】内側の壁を主とする部分を後ろ側から見てその内部を一部現した図である。
【図３８】内側の壁を主とする部分の最上部の内側の壁とその付近の、その付近を横断する形で切断した縦拡大断面図である。
【図３９】略Ｕ字型の略筒状の部分をま下から見た図である。
【図４０】内部の沢山の糸状の物質と下面に張られている網状の物質を省略した略Ｕ字型の略筒状の部分をま上から見た図。
【図４１】略Ｕ字型の略筒状の部分を、その略筒状の部分の左斜め後ろ上から見た図である。
【図４２】網の目状の部分を全体に有している袋状の物体の未だ内側の壁に装着されていない状態の図である。
【図４３】内部に沢山の糸状の物質を有している内側の壁の下から網の目状の部分を全体に有している袋状の物体をはめ込もうとしている図である。
【図４４】内部に沢山の糸状の物質を有する内側の壁の周りを網の目状の部分を全体に有している袋状の物体で覆って内側の壁を主とする部分を完成させた時に、その内側の壁の外側の壁と接続、違った云い方をすれば外側の壁と接近させるための孔の外側にくる網の目状の部分のところにクリップを使って目印をしている図である。
【図４５】図４４でクリップにより目印をつけた網の目状の部分の網の目の中に、内側の壁の外側の壁を接近させるための孔の中に入っていた伸縮性のある極めて強く切りにくい糸状の物質の端の部分を入れて外に出している様子を現した図である。
【図４６】内部に沢山の糸状の物質を有する内側の壁の上先端部の表面に網の目状の部分を全体に有している袋状の物体の輪状の部分が位置した状態を保ったままその網の目状の部分を全体に有している袋状の物体の輪状の部分をテープを用いてその内壁の上面外側に固定する作業が完了しようとしている図である。
【図４７】内側の壁を主とする部分とその側の外側の壁を、双方とも逆さに床、または机等平らなところに置き、そして、ピンセットを用いて内側の壁を主とする部分から出ている伸縮性がある極めて強く切りにくい糸状の物質を、外側の壁の内側の壁に接近させるための孔に内側から入れている様子を現した図である。
【図４８】図４７の作業を行う時の平らな机、床等に置かれた内側の壁を主とする部分と外側の壁の位置関係を上から見ることにより現した図である。
【図４９】人物の顔に装着されたインナーマスクを正面から見た場合の、そのインナーマスク内の略筒状の部分の外、内の二つの壁と網の目状の部分を全体に有している袋状の物体の左右の端の横断縦切断面を線で表現し、網状の幕に強く密着して存在する糸状の物質の全てが、その網状の幕によって前へ強く押し出されている関係で前から見た場合、それらは直線となって見える状態で略筒状の空洞内で張って存在している状態を現わした図。
【図５０】人物の顔に装着されたインナーマスクを正面から見た場合の、そのインナーマスクのカバーを取り除き、図４９のように略筒状の空洞内の網状の幕に強く密着して存在する糸状の物質は一本も無く、網状の幕に触れて存在する複数の糸状の物質の全てがその網状の幕にわずかに触れてその略筒状の空洞内で垂るんでいる様子を、略筒状の部分の内側、外側の二つの壁と網の目状の部分を全体に有している袋状の物体の左右側面の横断切断面を線で表現する形式で現した図である。
【図５１】略筒状の部分を覆う部分が前へふくらんでいない形状の略Ｕ字型の外周を有するインナーマスクであり、そのインナーマスクを垂直にし、そして、インナーマスクの窓状の部分を覆っている幕状の物質を外した状態をそのインナーマスクの左斜め上から見た図である。
【図５２】自身の顔に装着された略筒状の部分が前へふくらんでいない形状のインナーマスクの上から、中央に一般のマスクよりも広い長方形の部分を有するマスクを装着した人物を左横から見た図である。
【図５３】人物の顔に装着された略筒状の部分を覆う部分が前にふくらんでいない形状の窓状の部分にそこを覆う幕状の物質が貼られていない状態のインナーマスクをその装着者の左側から見た図である。
【図５４】平らな机、または床などにインナーマスク本体の、人物の顔にインナーマスクを装着した時に前側となるところを下にして、そのインナーマスクが略筒状の部分を覆う部分が前へふくらんでいる形状なら多少安定は悪いが横に寝かせ、カバーの略筒状の部分を取り付けるための孔と略筒状の部分の外側の壁が一枚となったところに存在するそれぞれの孔を内外に重ねて二つの孔が一つの孔になった状態の孔のそれぞれ二孔一組の状態となって隣接する二孔の、内から外へと出ている伸縮性があり極めて強く切りにくい糸状の物質の両端の部分をピンセットでつまんで結んだ状態の図である。
【図５５】平らな机、または床などに略筒状の部分を覆う部分の前側が前にふくらんでいない形状のインナーマスク本体をその前側が下になる状態で寝かせ、カバーの略筒状の部分を取り付けるための孔から外へ出ている伸縮性のある極めて強く切りにくい糸状の物質をハサミで切断している図である。
【図５６】略筒状の部分の外側の壁の表面に存在する、その内側の、内側の壁を主とする部分から、その外側の壁の内側の壁と接近させるための孔から出て結び目をつくっている伸縮性があり極めて強く切りにくい糸状の物質のその結び目からはみ出した部分をハサミを用いて切断している図である。
【図５７】人物の顔に装着されたインナーマスクの上から、中央に広い長方形の部分を有するインナーマスクを装着している状態を正面から見た図である。
【図５８】床、または机等、平らな状態のところの上に、インナーマスクを人物が装着した時に前側となるところが下となる状態で、前側がふくらんでいない略筒状の部分を置き、その状態で、内側の壁を主とする部分から、外側の壁の内側の壁を接近させるための孔を伝って外に出ている伸縮性のある極めて強く切りにくい糸状の物質の内の、互いに隣接する二つの孔から出ている一本の伸縮性のある極めて強く切りにくい糸状の物質の両端の部分の片端をそれぞれ一本づつのピンセットでつまみ、その二つのピンセットを用いてその伸縮性のある極めて強く切りにくい糸状の物質の結び目をつくっている図である。
【図５９】窓状の部分が幕状の物質で塞がれている状態の前側がふくらんでいない略筒状の部分を有する略コ字型の外周を持つインナーマスクを、人物がそのインナーマスクを装着した時に前側になるところが下になる状態で、平らな机、または床等の上に置き、そして、そのインナーマスクの内側に在る略筒状の部分の外側の壁が一枚となったところに有る複数の孔とカバーの後ろ端の縦の辺付近に在る複数の孔を、それぞれ表裏に重ねて一つの孔とし、そして、その内の互いに隣接する二つの孔の外側から伸縮性のある極めて強く切りにくい糸状の物質の両端をその二つの孔に入れている様子を現わした図である。
【図６０】前側がふくらんでいる略筒状の部分を覆う部分を有するインナーマスクのそのインナーマスクの窓状の部分が幕状の物質で塞がれている状態のその略筒状の部分を覆う部分の前部の何割かが入る型を粘土にとり、その型の上に、上記の略筒状の部分を覆う部分の前部の何割かが入る状態の略筒状の部分を覆う部分が前側へふくらんでいるインナーマスクの窓状の部分が幕状の物質で塞がれている状態の略筒状の部分を覆う部分の前部の何割かをはめ込み、カバーの二つの孔から外側の壁が一枚となったところの二つの孔を伝って出てきた伸縮性のある極めて強く切りにくい糸状の物質の両端の部分をピンセットを二体用いて結んでいる図である。
【図６１】略Ｖ字型の外周を有する略筒状の部分を覆う部分が前にふくらんでいない形状のインナーマスクの図６０の作業をするために、その略Ｖ字型の前側、またはほぼ全体がすっぽりと入る粘土にとった型に、その略Ｖ字型の外周を有するインナーマスクをはめ込んだ状態の略筒状の部分を覆う部分、または略筒状の部分とその付近の中央横断の縦切断面をそのインナーマスクの、人物に装着された時に上となるところ、または下となるところから見た図である。
【図６２】略筒状の部分の、インナーマスクを人物が装着した時に後ろ側になるところを平らな机、または床等に接する状態で置き、その略筒状の部分の内側の壁を主とする部分から、その外側の壁の内側の壁を接近させるための孔の二穴の表面に出てきたこの前側がふくらんだ略筒状の部分が有することとなる極めて強く切りにくい糸状の物質の両端の部分をピンセット二体を用いて結び目をつくろうとしている図である。
【図６３】垂直の状態で手に持った略筒状の部分を覆う部分が前にふくらんでいない形状の略Ｕ字型の外周を有するインナーマスクの窓状の部分を覆っている幕状の物質を剥がそうとしている様子をこのインナーマスクの左斜め前上から見た図である。
【図６４】実際には全体が柔らかいためにこの形状を保つことは出来ないが、へらの部分の略Ｕ字型の幕状の部分のほぼ中央を手にとって持ち上げ、そのへらの部分を垂直にした状態をＹの字の下の縦となるところを、人物がインナーマスクを装着した時のその装着者側の方向から見た時に、見えやすい状態にした図である。
【図６５】略Ｕ字型の外周を有する略筒状の部分を覆う部分が前に出ていない形状のインナーマスクをま下から見た図である。
【図６６】人物の顔に装着された状態の略筒状の部分を覆う部分が前にふくらんでいない状態の略Ｕ字型の外周を有するインナーマスクをま下から見た図である。
【図６７】へらの部分の接着面とその付近の部分の横断縦断面図である。
【図６８】へらの部分のカバーの後ろ端の縦の辺に取り付けられる部分とその上の斜めのへらの部分の、そのへらの部分を垂直にした場合のその二つの部分の境目の前へ倒れる角度と、そのへらの部分が取り付けられているインナーマスク本体のカバーの後ろ端の縦の辺と、その上の後部の外周の部分との境目の角度が同じ場合の、その境目の部分のへらの部分のＶの字の外側の部分の状態を外側の左横から見た図である。
【図６９】へらの部分のカバーの後ろ端の縦の辺に取り付けられる部分とその上の斜めのへらの部分の、そのへらの部分を垂直にした場合の、その二つの部分の境目の前へ倒れる角度よりも、そのへらの部分が取り付けられているインナーマスク本体のカバーの後ろ端の縦の辺とその上の後部の外周の部分との境目の角度が鋭角の場合の、その境目に取り付けられているへらの部分のＶの字の外側の部分の状態をそのインナーマスク本体の左外側横から見た図である。
【図７０】図６９になった状態のへらの部分のＹの字の上のＶの字の外側の部分のカバーの後ろ端の縦の辺と後部の外周の部分との境目の外内と重なった状態の内の外側のへらの部分の一部である斜めのへらの部分のＹの字の上のＶの字の外側の部分の内側の面に接着面が在ることを示している様子の図。
【図７１】実際には垂直にすることは出来ないがＹの字の下の縦となるところ全体を垂直にした状態でＹの字の上のＶの字の外側の部分と内側の部分両方の内側の面全体が平らな透明のガラスに密着する状態になったへらの部分の様子を、そのＶの字の部分の幅を長めにして上から見た状態の図である。
【図７２】図７１の状態をガラスを通して下から見た図である。
【図７３】インナーマスクのカバーの略Ｕ字型の切り込みの左右の幅の中央を縦に縦断する形で切断することにより、その略Ｕ字型の切り込みの部分と、その略Ｕ字型の切り込みの何もない面の上とその前後に在るへらの部分の略Ｕ字型の幕状の部分との位置関係等を現わした図である。
【図７４】垂直にした略Ｕ字型の外周を有するインナーマスクを後ろ斜め上から見た図である。
【図７５】垂直にした略Ｕ字型の外周を有するインナーマスクのカバーの略Ｕ字型の切り込みの何もない面の後ろにくるへらの部分のＹの字の下の縦となるところの左右の両端のところを指でつまんで上に伸ばしてそのＹの字の下の縦のところの内側の面を後ろに見せる状態をつくっている図である。
【図７６】前先端部が前へふくらんでいない状態の略筒状の部分の外側の壁に、前から後ろの方向に力を加える形で垂直に建った壁に押し付けてその外側の壁を空中に浮かしている図である。
【図７７】インナーマスクから剥がした、へらの部分の内のカバーの後ろ端の縦の辺に取り付けられる部分のＶの字の外側の部分の内側の面の最下部とその付近の接着面に、インナーマスク本体にそのへらの部分が取り付けられるまえに、その接着面に貼られていた紙、または布状の物質を再びその接着面に貼り付ける様子、またはその布状、または紙の物質と同じ素材で同じ形状のものをその接着面に貼り付ける様子を現わした図である。
【図７８】インナーマスクに取り付けられたへらの部分を外し始めているか、またはインナーマスク主体部にへらの部分を取り付ける作業が終わろうとしている図である。
【図７９】人物の顔に装着された、へらの部分のカバーの略Ｕ字型の切り込みの何もない面の後ろにくる部分が人物の鼻の上部のカーブのところによって前へ押し出されてその部分のＹの字の下の縦となるところの外側の面がその人物の鼻の上部とその付近の皮膚と密着し、そして、網状の幕が、その人物の口とその付近の頬によって前へ押し出された状態の、略Ｕ字型の外周を有するインナーマスクの斜めのへらの部分のＹの字の下の縦となるところを外側に両手で人物の顔に密着しやすいように広げている様子を人物の顔を省略してそのインナーマスクの後ろ斜め上から見た図である。
【図８０】図７９の略Ｕ字型の外周を有するインナーマスクであり、未だ人物の頬に完全に密着していないへらの部分の左右のカバーの後ろ端の縦の辺に取り付けられるＹの字の下の縦となるところの内側の面を外側に両手を使って広げている様子を、インナーマスクをほぼ装着している人物を省略して、そのインナーマスクを後ろ斜め上から見た図である。
【図８１】図２３のインナーマスクを両手を使って横に広げた図である。
【図８２】人物の顔に装着された略筒状の部分を覆う部分が前にふくらんでいない形状のインナーマスクの、その人物の顔から前のところは、そのインナーマスクの左右の横幅の中央のところを縦断する形で縦に切断して主な切断面は線で表現してその内部を現し、そして、そのインナーマスク内部のその人物の顔の表面の様子を現わした図である。
【図８３】噴霧器を用いてインナーマスクの投入口からその中の糸状の物質に向って水霧を吹きかけてそれら糸状の物質に湿気を与えている図である。
【図８４】インナーマスクの、普段は窓状の部分を塞いでいる状態の幕状の物質を剥がし、そして、その窓状の部分の中に在る網の目状の部分を全体に有している袋状の物体の一部である網の目状の部分を水の入った噴霧器の先端で押し付けて、それに触れる網の目状の部分の網の目を大きくし、そして、そこから水霧を吹きかけて中の糸状の物質に湿気を与える様子を描いた図である。
【図８５】略筒状の部分を覆う部分が前へふくらんでいない形状の略Ｕ字型の外周を有するインナーマスクを垂直にし、それをま上から見た図である。
【図８６】インナーマスクを装着した人物が鼻で思い切り吸気を行った場合、略筒状の空洞内に存在する網の目状の幕を挟んでそのインナーマスクを装着する人物と口とその付近の皮膚によって前に押し出されて張って存在するもの以外の沢山の糸状の物質は垂るんでおり、その垂るんだ状態の糸状の物質はその吸気によって発生する下から上へと流れる風によりそれらの垂るんでいた糸状の物質の中央付近は上へ上がる状況が発生する場合は在るが、それらの糸状の物質は決して装着者の鼻の下部とその付近には触れないことを現した図である。
【図８７】人物の顔に装着されたインナーマスクの最上部付近の左右の横幅中央の縦断する形の縦断面図により、へらの部分の略Ｕ字型の幕状の部分の後部の、鼻の上部と密着する形となるＹの字の下の縦となるところは、他のへらの部分と比べて上に上がる状態になることもあると云うことを現した図である。
【図８８】人物の顔に装着されたインナーマスクの最上部付近の左右の横幅中央の縦断する形の縦断面図により、主にへらの部分の略Ｕ字型の部分の後部のＹの字の下の縦となるところのその装着者の鼻の上部と密着した一般的な形を現わした図である。
【図８９】図７９と図８０で説明しているインナーマスクと同じインナーマスクであり、そのインナーマスクのカバーの略Ｕ字型の切り込みの何もない面の後ろにくるへらの部分のＹの字の下の縦となるところの外側の面と他のＹの字の下の縦となるところの内側の面が、そのインナーマスクを装着する人物の頬に密着した時になる状態をそのインナーマスクの後方斜め上から見た図である。
【図９０】略Ｕ字型の外周を有するインナーマスクの、人物がインナーマスクを装着した時にその人物の鼻の上部と密着する状態となるそのインナーマスクのカバーの略Ｕ字型の切り込みの何もない面の後ろに在るへらの部分のＹの字の下の縦となるところの両端の部分を両手を用いて左右両側に伸ばし、インナーマスクを人物が装着したした時に鼻の上部と密着しやすい状態にしているこれからこのインナーマスクを人物の顔に装着しようとしている様子をインナーマスクの後ろ斜め上から見た図である。
【図９１】図９０の様子をインナーマスクを装着しようとする人物の正面から見た図である。
【図９２】へらの部分の略Ｙ字状の上のＶの字の外側の部分から出ている略Ｕ字型の幕状の部分の裏面が上を向くように平らな机、または床等の上に寝かせ、そして、その略Ｕ字型の幕状の部分を片方の手で上から押さえ、そして、その略Ｕ字型の幕状の部分の裏面の接着面に貼られている前先端部の帯状の布、または紙状の物質をもう片方の手で剥がしている図である。
【図９３】図９２の、上に貼られていた紙、または布状の物質を剥がされ、むき出しになった略Ｕ字型の幕状の部分の前先端部付近の裏面の接着面を、インナーマスク本体のカバーの略Ｕ字型の切り込みの前のカバーの表面に両手の指で互いに押える様子で接着している様子をインナーマスク本体の横幅中央の縦断、縦の断面図によって現わした図である。
【図９４】図９３の要領で自身が有する略Ｕ字型の幕状の部分の前先端部付近の裏側の面がカバーの略Ｕ字型の切り込みの前のカバーの表面に接着しているへらの部分を、その接着しているインナーマスクを人物が装着した時のその装着者側となるところ、即ち後ろ側となるところを支点としてそのへらの部分を前へ折り返し、略Ｕ字型の幕状の部分の裏面が外を向く状態にしてその部分の接着面に貼り付けられている布、または紙状の物質を剥がす様子をインナーマスク本体の横幅中央を縦断する形の縦断面図を用いて現している図である。
【図９５】図９４の様子をそのインナーマスク本体の前から見た図である。
【図９６】伸縮性があり極めて強く切りにくい糸状の物質が略筒状の部分の外側の壁と内側の壁の互いの壁を接近させるための孔の中に入っており、その二つの壁が接続されている状態をその付近を水平に切断する断面図により現している図である。
【図９７】図４９の状態になった時の、インナーマスク装着者のインナーマスク内のその装着者の口とその付近の顔の表面の様子をその装着者の左横から見た図である。
【図９８】図５０の状態になった時の、インナーマスク装着者のインナーマスク内のその装着者の口とその付近の顔の表面の様子をその装着者の左横から見た図である。
【図９９】実際には立てることは出来ないがＵの字の下のところが上になるようにへらの部分をＵ字型に立て、Ｙ字状になっている部分を、その立っている角度と直角に、即ち水道に立っている部分に対しては水平と云う形に切断したインナーマスクとなった時は左側にくる部分の切断面の図である。
【図１００】垂直に建った壁に、内側の壁の後ろ端の縦の辺全体を当て、その内側の壁を前側から後ろの方向に指で力を加える形で押し、その内側の壁を空中に浮かしている図である。
【図１０１】人物の顔を上から見ることにより、この書類に度々出てくる横頬の部分の場所を説明した図である。
【図１０２】インナーマスクのへらの部分、即ちインナーマスク本体に取り付けられたへらの部分の、右側のＹ字状のＹの字の上のＶの字の内側の部分とその付近の様子を現わした図である。
【符号の説明】
【０１１１】１  網の目状の部分を全体に有している袋状の物体
２  網状の幕
３  網の目状の物質
４、インナーマスク
６  インナーマスクの窓状の部分
７、糸状の部材
８、インナーマスクの空気取り入れ口
９、内側の壁を主とする部分
１０、内側の壁
１１、内側の壁の上を向いた面
１２、内側の壁の糸状の物質が通るための孔がないところ
１３、内側の壁の糸状の物質を通すための孔
１４、内側の壁の後ろ端の縦の辺
１５、内側の壁の外側の壁を接近させるための孔
１６、内側の壁の窓状の部分
１７  内側の壁の下端の部分
１８、内側の壁の斜め下を向いた面
１９、カバー
２０、カバーの略Ｕ字型の切り込み
２１、カバーの後部の外周の部分
２２、カバーの後部の外周の部分の左右の端の部分でもあり、カバーの後ろ端の縦の辺の上先端でもある部分。
２３、カバーの後ろ端の縦の辺
２４、カバーの略Ｕ字型の切り込みの何もない面
２５、カバーのひも状の物質を取り付ける部分
２６  カバーの下端の部分
２７、カバーの略筒状の部分を取り付けるための孔
２８、カバーの勾配を有する面
２９、カバーの略筒状の部分を覆う部分
３０、カバーの窓状の部分
３１、カバーの勾配を有する面の下端の部分でもあり、略筒状の部分を覆う部分の上端の部分でもある勾配を有する面と略筒状の部分を覆う部分の境目のところ
３２、カバーの下端の部分の最後部でもあり、カバーの後ろ端の縦の辺の下先端ブもあるところ
３３、伸縮性があり、極めて強く切りにくい糸状の物質
３４、外側の壁
３５、外側の壁の上を向いた面
３６  外側の壁の窓状の部分
３７  外側の壁の内側の壁を接近させるための孔
３８、外側の壁の下端の部分
３９  垂るんだ状態の糸状の部材
４０  張った状態の糸状の部材
４１  インナーマスクのひも状の物質
４２  広い長方形の部分を有するマスク
４３  広い長方形の部分を有するマスクの網状の部分
４４、広い長方形の部分を有するマスクのひも状の物質
４５、へらの部分
４６、へらの部分の略Ｕ字型の幕状の部分
４７、へらの部分の略Ｕ字型の幕状の部分の裏面
４８  へらの部分の斜めのへらの部分
４９  へらの部分のカバーの後ろ端の縦の辺に取り付けられる部分
５０  へらの部分の斜めのへらの部分のＹの字の下の縦となるところ
５１、へらの部分のＹの字の下の縦となるところの人物の顔にインナーマスクが装着された時に二枚に重なるところ
５２、へらの部分のＹの字の下の縦となるところの内側の面
５３、へらの部分のＹの字の上のＶの字の外側の部分
５４、へらの部分のＹの字の上のＶの字の内側の部分
５５、へらの部分のＶの字の外側の部分の内側の面
５６、へらの部分のＶの字の内側の部分の内側の面
５７  略筒状の部分
５８  略筒状の部分の外側の壁が一枚となったところ。
５９  略筒状の部分の外側の壁が一枚となったところに在る孔
６０  空気取り入れ口となるところ
６１、へらの部分のＹの字の下の縦となるところの外側の面
６２、略筒状の空洞
６３、広い長方形の部分を有するマスクの繊維状の広い長方形の部分
６４、へらの部分のカバーの後ろ端に取り付けられる部分のＹの字の下の縦となるところ
６５  幕状の物質
６６  略筒状の部分の壁
６７、外側の壁の後ろ端の縦の辺
６８、紙または布状の物質
６９、略筒状の部分の窓状の部分
７０、網の目状の部分を全体に有している袋状の物体の輪状の部分
７１、網の目状の部分を全体に有している袋状の物体が内側の壁を主とする部分の一部になった時の内側の壁の周りにくる部分
７２、網の目状の部分を全体に有している袋状の物体が内側の壁を主とする部分の一部となり、その内側の壁を主とする部分がカバーの内側に取り付けられてインナーマスクとなった時の、そのインナーマスクの空気取り入れ口を塞ぐ状態になるところ
７３、外側の壁の斜め下を向いた面
７４、外側の壁の上端の部分
７５、内側の壁の上端の部分
７６、インナーマスクの下面となる部分
７７、インナーマスクの下面
７８  略筒状の部分の下端の部分
７９  略筒状の部分の壁の上面
８０、へらの部分のカバーの略Ｕ字型の切り込みの何もない面の後ろにくる部分
８１  へらの部分のインナーマスク本体に取り付けられた時に下端となる部分
８２、へらの部分のＹの字の上のＶの字の内側及び外側の部分に在る切り込み
８３  へらの部分全体のＹの字の下の縦となるところ
８４  カバーの下先端部及びインナーマスクの下先端部
８５  網の目状の部分を全体に有している袋状の物体の内側の壁を主とする部分の周りの表面にきている部分、又はくる部分
８６  カバーの裏面
８７、内側の壁の内部の空間
【要約】【課題】  それは一般の普通のマスクよりも中央の長方形の部分が広いマスクの内側に装着されて使用されるものであり、それを使用すると、前記普通のマスクを装着していた時の息苦しさは解消し、その装着者が鼻で吸気を行うと、そのマスク内に入ったインフルエンザウィルス、花粉、ほこり等の内のいくらかは取り除かれ、そして、外気よりも高湿度の空気が鼻腔入口に送られる。【解決手段】  装着者が鼻で吸気を行うと空気取り入れ口８から入り略筒状の空洞６２内を下から上へと流れる空気は、湿気を含む沢山の糸状の物質７の在るところを通ることで、その空気中のインフルエンザウィルス、花粉、ほこり等のいくらかはそれらによってからみ取られ、そして、その沢山の糸状の物質７の４０％〜１００％は垂るんだ状態で存在しており、それら３９は空気が通る度に揺れ、それによりその空洞内は高湿度となり、そのため前記花粉等のいくらかは重量が増して下に落ち、その高湿度の空気が装着者の鼻腔入口に到達する。【選択図】図８２【図１】
0004806097.tif 000004
【図２】
0004806097.tif 000005
【図３】
0004806097.tif 000006
【図４】
0004806097.tif 000007
【図５】
0004806097.tif 000008
【図６】
0004806097.tif 000009
【図７】
0004806097.tif 000010
【図８】
0004806097.tif 000011
【図９】
0004806097.tif 000012
【図１０】
0004806097.tif 000013
【図１１】
0004806097.tif 000014
【図１２】
0004806097.tif 000015
【図１３】
0004806097.tif 000016
【図１４】
0004806097.tif 000017
【図１５】
0004806097.tif 000018
【図１６】
0004806097.tif 000019
【図１７】
0004806097.tif 000020
【図１８】
0004806097.tif 000021
【図１９】
0004806097.tif 000022
【図２０】
0004806097.tif 000023
【図２１】
0004806097.tif 000024
【図２２】
0004806097.tif 000025
【図２３】
0004806097.tif 000026
【図２４】
0004806097.tif 000027
【図２５】
0004806097.tif 000028
【図２６】
0004806097.tif 000029
【図２７】
0004806097.tif 000030
【図２８】
0004806097.tif 000031
【図２９】
0004806097.tif 000032
【図３０】
0004806097.tif 000033
【図３１】
0004806097.tif 000034
【図３２】
0004806097.tif 000035
【図３３】
0004806097.tif 000036
【図３４】
0004806097.tif 000037
【図３５】
0004806097.tif 000038
【図３６】
0004806097.tif 000039
【図３７】
0004806097.tif 000040
【図３８】
0004806097.tif 000041
【図３９】
0004806097.tif 000042
【図４０】
0004806097.tif 000043
【図４１】
0004806097.tif 000044
【図４２】
0004806097.tif 000045
【図４３】
0004806097.tif 000046
【図４４】
0004806097.tif 000047
【図４５】
0004806097.tif 000048
【図４６】
0004806097.tif 000049
【図４７】
0004806097.tif 000050
【図４８】
0004806097.tif 000051
【図４９】
0004806097.tif 000052
【図５０】
0004806097.tif 000053
【図５１】
0004806097.tif 000054
【図５２】
0004806097.tif 000055
【図５３】
0004806097.tif 000056
【図５４】
0004806097.tif 000057
【図５５】
0004806097.tif 000058
【図５６】
0004806097.tif 000059
【図５７】
0004806097.tif 000060
【図５８】
0004806097.tif 000061
【図５９】
0004806097.tif 000062
【図６０】
0004806097.tif 000063
【図６１】
0004806097.tif 000064
【図６２】
0004806097.tif 000065
【図６３】
0004806097.tif 000066
【図６４】
0004806097.tif 000067
【図６５】
0004806097.tif 000068
【図６６】
0004806097.tif 000069
【図６７】
0004806097.tif 000070
【図６８】
0004806097.tif 000071
【図６９】
0004806097.tif 000072
【図７０】
0004806097.tif 000073
【図７１】
0004806097.tif 000074
【図７２】
0004806097.tif 000075
【図７３】
0004806097.tif 000076
【図７４】
0004806097.tif 000077
【図７５】
0004806097.tif 000078
【図７６】
0004806097.tif 000079
【図７７】
0004806097.tif 000080
【図７８】
0004806097.tif 000081
【図７９】
0004806097.tif 000082
【図８０】
0004806097.tif 000083
【図８１】
0004806097.tif 000084
【図８２】
0004806097.tif 000085
【図８３】
0004806097.tif 000086
【図８４】
0004806097.tif 000087
【図８５】
0004806097.tif 000088
【図８６】
0004806097.tif 000089
【図８７】
0004806097.tif 000090
【図８８】
0004806097.tif 000091
【図８９】
0004806097.tif 000092
【図９０】
0004806097.tif 000093
【図９１】
0004806097.tif 000094
【図９２】
0004806097.tif 000095
【図９３】
0004806097.tif 000096
【図９４】
0004806097.tif 000097
【図９５】
0004806097.tif 000098
【図９６】
0004806097.tif 000099
【図９７】
0004806097.tif 000100
【図９８】
0004806097.tif 000101
【図９９】
0004806097.tif 000102
【図１００】
0004806097.tif 000103
【図１０１】
0004806097.tif 000104
【図１０２】
0004806097.tif 000105